(57)【特許請求の範囲】
【請求項１】
下記（ａ）成分、（ｂ）成分０質量％以上３質量％未満、（ｃ）成分、（ｅ）成分、及び水を含有し、（ａ）成分、（ｂ）成分及び（ｃ）成分の合計含有量が０．６質量％以上１５質量％以下、（ｅ）成分／［（ａ）成分＋（ｂ）成分＋（ｃ）成分］の質量比が１．４以上２．１以下、（ｂ）成分／［（ａ）成分＋（ｂ）成分＋（ｃ）成分］の質量比が０．１５以下、（ａ）成分／（ｃ）成分の質量比が０．４以上１０以下である、油除去用硬質表面用液体洗浄剤組成物。
＜（ａ）成分＞
下記一般式（ａ１）で表されるスルホコハク酸エステル又はその塩
【化１】
0006771952.tif 000011
〔式中、Ｒ1a、Ｒ2aは、それぞれ独立して、炭素数５以上１８以下の炭化水素基である。Ａ1、Ａ2はそれぞれ独立に炭素数２以上４以下のアルキレン基、ｘ、ｙは平均付加モル数でありそれぞれ独立に０以上６以下である。Ｍ1は水素原子又は陽イオンである。〕
＜（ｂ）成分＞
炭素数８以上２１以下の炭化水素基と、硫酸エステル基又はスルホン酸基とを有するアニオン界面活性剤〔但し、（ａ）成分を除く〕
＜（ｃ）成分＞
スルホベタイン及びカルボベタインから選ばれる１種以上の両性界面活性剤
＜（ｅ）成分＞
炭素数２以上８以下の水溶性有機溶剤
【請求項２】
（ａ）成分０．５質量％以上８質量％以下を含有する、請求項１記載の油除去用硬質表面用液体洗浄剤組成物。
【請求項３】
（ｃ）成分０．１質量％以上８質量％以下を含有する、請求項１又は２記載の油除去用硬質表面用液体洗浄剤組成物。
【請求項４】
炭素数８以上２２以下の脂肪酸又はその塩を０質量％以上３質量％以下含有する、請求項１〜３の何れか１項記載の油除去用硬質表面用液体洗浄剤組成物。
【請求項５】
硬質表面に接触させ、機械力をかけずに洗浄する方法に用いられる、請求項１〜４の何れか１項記載の油除去用硬質表面用液体洗浄剤組成物。
【請求項６】
請求項１〜４の何れか１項記載の油除去用硬質表面用液体洗浄剤組成物を、油汚れが付着した硬質表面に接触させる、硬質表面の洗浄方法。
【請求項７】
前記油除去用硬質表面用液体洗浄剤組成物を、希釈せずに前記硬質表面に接触させる、請求項６記載の硬質表面の洗浄方法。
【請求項８】
前記油除去用硬質表面用液体洗浄剤組成物を、前記硬質表面に接触させた後、機械力をかけずに放置する、請求項６又は７記載の硬質表面の洗浄方法。
【請求項９】
放置する時間が、１０秒以上である、請求項８記載の硬硬質表面の洗浄方法。
【請求項１０】
前記油除去用硬質表面用液体洗浄剤組成物を、噴霧又は塗布して前記硬質表面に接触させる、請求項６〜９の何れか１項記載の硬質表面の洗浄方法。
【請求項１１】
前記油除去用硬質表面用液体洗浄剤組成物を、液滴状にして前記硬質表面に噴霧する又は泡状にして前記硬質表面に塗布する、請求項１０記載の硬質表面の洗浄方法。
【請求項１２】
油汚れが、固体脂を含む油汚れである、請求項６〜１１の何れか１項記載硬質表面の洗浄方法。
【請求項１３】
請求項１〜５の何れか１項記載の油除去用硬質表面用液体洗浄剤組成物を、スプレイヤーを具備する容器に充填してなる、スプレー容器入り硬質表面用洗浄剤物品。
【発明の詳細な説明】
【技術分野】
【０００１】
本発明は硬質表面用液体洗浄剤組成物、硬質表面の洗浄方法、及びスプレー容器入り硬質表面用洗浄剤物品に関する。
【背景技術】
【０００２】
手洗い用食器洗浄剤には、油汚れに対する洗浄力が根強く求められている。とりわけ、プラスチック製のタッパーや弁当箱などの疎水性表面を有する食器類においては、牛脂や豚脂などの固形脂を多く含む油汚れが落ちにくく、高い洗浄力が求められている。そのため、通常、約４０℃〜４５℃のお湯を使用する、又は、２度洗いをするなどの工夫を施した洗浄方法が用いられる。
【０００３】
特許文献１には、（ａ）スルホコハク酸アルキルエステル型界面活性剤、（ｂ）アルキル硫酸エステル塩及びポリオキシアルキレンアルキルエーテル硫酸エステル塩から選ばれる１種以上、（ｃ）スルホベタイン型界面活性剤を、所定の含有量及び所定の含有割合で含有する、手洗い用食器用液体洗浄剤組成物が開示され、低い温度（１０〜３５℃）において、疎水性表面を有する食器類や調理器具等に付着した油汚れである液体油および固体脂に対する洗浄力を両立することが記載されている。
特許文献２には、（ａ）スルホコハク酸アルキルエステル又はその塩、（ｂ）炭素数８〜２１の炭化水素基と、硫酸エステル塩基又はスルホン酸塩基とを有するアニオン界面活性剤〔但し（ａ）を除く〕５〜３５質量％、及び（ｃ）スルホベタイン型界面活性剤を含有する手洗い用食器用液体洗浄剤組成物が開示され、食器洗浄時には豊かな泡立ちと洗浄時の泡の持続性を示すが、すすぎ時には瞬時に泡が消え、少量の水ですすぎが完了することが記載されている。
【先行技術文献】
【特許文献】
【０００４】
【特許文献１】特開２０１３−１００４６１号公報
【特許文献２】特開２０１３−１００４６２号公報
【発明の概要】
【発明が解決しようとする課題】
【０００５】
特許文献１、２には、手洗い用食器用液体洗浄剤組成物を、スポンジ等の可撓性材料に付着させ、泡立てて、食器を擦り洗いすることが記載されている。
本発明は、プラスチック等の硬質物品の硬質表面に付着した、固体脂を含む油汚れを、スポンジ等の可撓性材料を用いて擦らずとも、すなわち機械力をかけずとも、洗浄することが可能な、洗浄力に優れた、硬質表面用液体洗浄剤組成物及び硬質表面の洗浄方法に関する。
【課題を解決するための手段】
【０００６】
本発明は、下記（ａ）成分、（ｂ）成分０質量％以上３質量％未満、（ｃ）成分、及び水を含有し、（ｂ）成分／［（ａ）成分＋（ｂ）成分＋（ｃ）成分］の質量比が０．３以下である、硬質表面用液体洗浄剤組成物に関する。
【０００７】
＜（ａ）成分＞
下記一般式（ａ１）で表されるスルホコハク酸エステル又はその塩
【０００８】
【化１】
0006771952.tif 000002
【０００９】
〔式中、Ｒ1a、Ｒ2aは、それぞれ独立して、炭素数５以上１８以下の炭化水素基である。Ａ1、Ａ2はそれぞれ独立に炭素数２以上４以下のアルキレン基、ｘ、ｙは平均付加モル数でありそれぞれ独立に０以上６以下である。Ｍ1は水素原子又は陽イオンである。〕
＜（ｂ）成分＞
炭素数８以上２１以下の炭化水素基と、硫酸エステル基又はスルホン酸基とを有するアニオン界面活性剤〔但し、（ａ）成分を除く〕
＜（ｃ）成分＞
スルホベタイン及びカルボベタインから選ばれる１種以上の両性界面活性剤
【００１０】
本発明は、その一つの側面において、下記（ａ）成分、（ｂ）成分０質量％以上３質量％未満、（ｃ）成分、及び水を含有し、（ｂ）成分／［（ａ）成分＋（ｂ）成分＋（ｃ）成分］の質量比が０．３以下である、油除去用硬質表面用液体洗浄剤組成物に関する。以下、本発明の硬質表面用液体洗浄剤組成物という場合、この油除去用硬質表面用液体洗浄剤組成物を含む。
＜（ａ）成分＞
下記一般式（ａ１）で表されるスルホコハク酸エステル又はその塩
【００１１】
【化２】
0006771952.tif 000003
【００１２】
〔式中、Ｒ1a、Ｒ2aは、それぞれ独立して、炭素数５以上１８以下の炭化水素基である。Ａ1、Ａ2はそれぞれ独立に炭素数２以上４以下のアルキレン基、ｘ、ｙは平均付加モル数でありそれぞれ独立に０以上６以下である。Ｍ1は水素原子又は陽イオンである。〕
＜（ｂ）成分＞
炭素数８以上２１以下の炭化水素基と、硫酸エステル基又はスルホン酸基とを有するアニオン界面活性剤〔但し、（ａ）成分を除く〕
＜（ｃ）成分＞
スルホベタイン及びカルボベタインから選ばれる１種以上の両性界面活性剤
【００１３】
また本発明は、上記本発明の硬質表面用液体洗浄剤組成物を、硬質表面に接触させる、硬質表面の洗浄方法に関する。
【００１４】
また本発明は、上記本発明の硬質表面用液体洗浄剤組成物を、油汚れが付着した硬質表面に接触させる、硬質表面の洗浄方法に関する。
【００１５】
また、本発明は、上記本発明の硬質表面用液体洗浄剤組成物を、スプレイヤーを具備する容器に充填してなる、スプレー容器入り硬質表面用洗浄剤物品に関する。
【発明の効果】
【００１６】
本発明によれば、プラスチック等の硬質表面を有する物品に付着した、固体脂を含む油汚れを、スポンジ等の可撓性材料を用いて擦らずとも、すなわち機械力をかけずとも、洗浄することが可能な、洗浄力に優れた、硬質表面用液体洗浄剤組成物、硬質表面の洗浄方法、及びスプレー容器入り硬質表面用洗浄剤物品を提供することができる。
【発明を実施するための形態】
【００１７】
＜硬質表面用液体洗浄剤組成物＞
本発明の硬質表面用液体洗浄剤組成物は、（ｂ）成分の炭素数８以上２１以下の炭化水素基と硫酸エステル基又はスルホン酸基とを有するアニオン界面活性剤の含有量を規定したことにより、疎水性が高いジアルキル基と親水性が高い硫酸基とを有する（ａ）成分と、両性界面活性剤である（ｃ）成分との相互作用を強いものにすることができる。これにより、本発明の硬質表面用液体洗浄剤組成物に含まれる界面活性剤が、固体脂を含む油汚れ中に浸透し易くなり、硬質表面からの固体脂の剥離が容易となり、その結果、洗浄力の向上効果が得られたものと推定される。
そして、本発明の硬質表面用液体洗浄剤組成物を、直接、硬質表面と接触させる方法で用いる場合は、硬質表面に適用される界面活性剤の濃度が、含水したスポンジを使用して硬質表面に接触させる場合よりも高くなる。そのため、本発明の界面活性剤による効果は、より顕著に発現する。
これらのことから、本発明の硬質表面用液体洗浄剤組成物を用いることにより、プラスチック等の硬質表面に付着した、固体脂を含む油汚れを、スポンジ等の可撓性材料を用いて擦らない、すなわち機械力をかけない洗浄方法によっても、優れた洗浄力を得ることができる。
【００１８】
＜（ａ）成分＞
本発明の（ａ）成分は、下記一般式（ａ１）で表されるスルホコハク酸エステル又はその塩である。
【００１９】
【化３】
0006771952.tif 000004
【００２０】
〔式中、Ｒ1a、Ｒ2aは、それぞれ、炭素数５以上１８以下の炭化水素基である。Ａ1、Ａ2はそれぞれ独立に炭素数２以上４以下のアルキレン基、ｘ、ｙは平均付加モル数であり、それぞれ独立に０以上６以下である。Ｍ1は水素原子又は陽イオンである。〕
【００２１】
一般式（ａ１）中、Ｒ1a、Ｒ2aは、それぞれ独立に、炭素数５以上、好ましくは６以上、より好ましくは７以上、そして、炭素数１８以下、好ましくは１６以下、さらに好ましくは１４以下の炭化水素基、好ましくは直鎖又は分岐鎖のアルキル基である。Ｒ1a、Ｒ2aは、それぞれ独立に、より好ましくは分岐構造を有するアルキル基である。
一般式（ａ１）中、Ａ1、Ａ2は、それぞれ独立に、炭素数２以上、そして、炭素数４以下、好ましくは３以下のアルキレン基である。
一般式（ａ１）中、ｘ、ｙは、平均付加モル数であり、洗浄力の観点から、それぞれ独立に、０以上、そして、６以下、好ましくは４以下、より好ましくは２以下であり、０がより好ましい。
また、ｘ＋ｙは、洗浄力の観点から、好ましくは０以上、そして、好ましくは１２以下であり、より好ましくは６以下、さらに好ましくは３以下、さらに好ましくは０である。
【００２２】
一般式（ａ１）中、Ｒ1a、Ｒ2aは、それぞれ、好ましくはヘキシル基、オクチル基、ノニル基、デシル基、ドデシル基、トリデシル基、テトラデシル基、２−エチルヘキシル基、ｎ−オクチル基、ｓｅｃ−オクチル基、イソペンチル基、イソノニル基、イソデシル基、シクロヘキシル基から選ばれるアルキル基であり、より好ましくはｎ−オクチル基、ｓｅｃ−オクチル基、デシル基、イソデシル基、及び２−エチルヘキシル基から選ばれるアルキル基であり、よりさらに好ましくは２−エチルヘキシル基、トリデシル基であり、よりさらに好ましくは２−エチルヘキシル基である。
【００２３】
一般式（ａ１）中、Ｍ1は、水素原子、あるいはナトリウムイオン、アンモニウムイオン、カリウムイオン、マグネシウムイオン等の無機陽イオン、モノエタノールアミン、ジエタノールアミン、トリエタノールアミン、モルホリンの酸塩等の有機陽イオンであるが、好ましくはナトリウムイオン、アンモニウムイオン、カリウムイオン、及びマグネシウムイオンから選ばれる無機陽イオンである。
【００２４】
（ａ）成分は、Ｒ1a、Ｒ2aが同一の化合物の調製方法としては、特に限定されるものではないが、例えば米国特許明細書第２，０２８，０９１号公報に記載の方法を参考して製造することができ、また、Ｒ1a、Ｒ2aが異なる非対称の化合物は、例えば特開昭５８−２４５５５号公報を参考して製造することができる。市販の化合物を用いる場合には、花王（株）製ペレックスＯＴ−Ｐ（Ｒ1a、Ｒ2aが共に２−エチルヘキシル基である化合物）、同ペレックスＴＲ（Ｒ1a、Ｒ2aが共にトリデシル基である化合物）、ＢＡＳＦ社製ＬｕｅｎｓｉｔＡ−ＢＯ（Ｒ1a、Ｒ2aが共に２−エチルヘキシル基である化合物）、東邦化学工業(株)製エアロールＣＴ−１Ｌ（Ｒ1a、Ｒ2aが共に２−エチルヘキシル基である化合物）、三井サイテック株式会社から入手可能であったエアロゾルＡＹ−１００（Ｒ1a、Ｒ2aが共にアミル基である化合物）、同エアロゾルＡ−１９６（Ｒ1a、Ｒ2aが共にシクロヘキシル基である化合物）などを用いることができる。（ａ）成分の原料として、所定炭素数のアルコールにアルキレンオキシドを付加したものを用いることもできる。
【００２５】
本発明の硬質表面用液体洗浄剤組成物は、（ａ）成分を、洗浄力の観点から、好ましくは０．５質量％以上、より好ましくは０．８質量％以上、さらに好ましくは１質量％以上、よりさらに好ましくは１．５質量％以上、よりさらに好ましくは１．７質量％以上、そして、原料コストを低減する観点から、好ましくは３０質量％以下、より好ましくは２０質量％以下、さらに好ましくは１５質量％以下、よりさらに好ましくは１０質量％以下、よりさらに好ましくは８質量％以下、よりさらに好ましくは５質量％以下、よりさらに好ましくは３質量％以下、含有する。
なお、本発明では、（ａ）成分に係る質量に関する記述（質量％や質量比）は、Ｍ１をナトリウムと仮定したときの質量（ナトリウム塩換算での比率）に基づくものとする。
【００２６】
＜（ｂ）成分＞
本発明の（ｂ）成分は、炭素数８以上２１以下の炭化水素基と、硫酸エステル基又はスルホン酸基とを有するアニオン界面活性剤〔但し、（ａ）成分を除く〕である。
【００２７】
（ｂ）成分の炭化水素基としては、洗浄力の観点から、炭素数が８以上、好ましくは１０以上、より好ましくは１２以上、そして２１以下、好ましくは１８以下、より好ましくは１４以下、さらに好ましくは１２以下のアルキル基又はアリール基が好ましい。
【００２８】
（ｂ）成分のアニオン界面活性剤としては、アルキル硫酸エステル塩、ポリオキシアルキレンアルキルエーテル硫酸エステル塩、及びアルカンスルホン酸塩から選ばれる一種以上が好ましい。
【００２９】
硫酸エステル基を有する前記アニオン界面活性剤として、洗浄力の観点から、炭素数が８以上、好ましくは１０以上、そして２１以下、好ましくは１８以下、より好ましくは１４以下、さらに好ましくは１２以下の直鎖又は分岐鎖のアルキル基を有するアルキル硫酸エステル塩が好適である。
また、硫酸エステル基を有する前記アニオン界面活性剤として、洗浄力の観点から、炭素数は、８以上、好ましくは１０以上、そして２１以下、好ましくは１８以下、より好ましくは１４以下、さらに好ましくは１２以下の直鎖又は分岐鎖のアルキル基を有し、炭素数２以上３以下のオキシアルキレン基の平均付加モル数が好ましくは０．１以上、より好ましくは０．３以上、さらに好ましくは０．４以上、そして、好ましくは６以下、より好ましくは３以下、さらに好ましくは１．５以下であるポリオキシアルキレン基を有するポリオキシアルキレンアルキルエーテル硫酸エステル塩が好適である。
また、スルホン酸基を有する前記アニオン界面活性剤として、洗浄力の観点から、炭素数６以上１５以下のアルキル基を有するアルキルベンゼンスルホン酸塩、及び炭素数８以上、好ましくは１０以上、そして２１以下、好ましくは１８以下、より好ましくは１４以下、さらに好ましくは１２以下のアルカンスルホン酸塩から選ばれる１種以上のアニオン界面活性剤が好適である。
【００３０】
（ｂ）成分のアニオン界面活性剤の塩として、ナトリウム塩、アンモニウム塩、カリウム塩、マグネシウム塩等から選ばれる無機塩、モノエタノールアンモニウム塩、ジエタノールアンモニウム塩、トリエタノールアンモニウム塩、モノホリン塩等から選ばれる有機アンモニウム塩が好適である。
【００３１】
（ｂ）成分としては、下記一般式（ｂ１）の化合物が配合安定性と泡立ち性の観点から好適である。
Ｒ1b−Ｏ−（Ｒ2bＯ）n−ＳＯ3Ｍ2        （ｂ１）
〔式中、Ｒ1bは、炭素数８以上２１以下の直鎖又は分岐鎖のアルキル基であり、Ｒ2bは、エチレン基及び／又はプロピレン基であり、ｎは平均付加モル数であり０以上６以下の数である。Ｍ2は水素原子又は陽イオン、好ましくは無機又は有機の陽イオンである。〕
【００３２】
一般式（ｂ１）中、Ｒ1bは、洗浄力の観点から、炭素数８以上、好ましくは１０以上、そして２１以下、好ましくは１８以下、より好ましくは１４以下、さらに好ましくは１２以下の直鎖又は分岐鎖のアルキル基であり、好ましくは直鎖アルキル基である。具体的には、Ｒ1bは、オクチル基、デシル基、ドデシル基、トリデシル基、及びテトラデシル基から選ばれるアルキル基が好ましく、ドデシル基がより好ましい。
【００３３】
一般式（ｂ１）中、ｎは、洗浄力の観点から、好ましくは０．１以上、より好ましくは０．３以上、さらに好ましくは０．４以上、そして、好ましくは６以下、より好ましくは３以下、さらに好ましくは１．５以下の数である。
一般式（ｂ１）中、Ｒ2bがエチレン基の場合には、洗浄力の観点から、ｎは、好ましくは０．１以上の数、より好ましくは０．５以上、また好ましくは６以下、より好ましくは３以下の数である。
また、一般式（ｂ１）中、Ｒ2bがプロピレン基の場合には、洗浄力の観点から、ｎは、好ましくは０．１以上、より好ましくは０．２以上、さらに好ましくは０．４以上の数であり、また好ましくは１．５以下、より好ましくは１．０以下、さらに好ましくは０．８以下の数である。
また、一般式（ｂ１）中、Ｒ2bがエチレン基及びプロピレン基の場合には、ｎは、これらの範囲からそれぞれ選択できる。
【００３４】
一般式（ｂ１）中、Ｍ2は、水素原子、あるいはナトリウムイオン、アンモニウムイオ
ン、カリウムイオン、マグネシウムイオン等の無機陽イオン、モノエタノールアンモニウムイオン、ジエタノールアンモニウムイオン、トリエタノールアンモニウムイオン、モルホリン等の有機陽イオンが挙げられ、好ましくはナトリウムイオン、カリウムイオン、アンモニウムイオン、マグネシウムイオンの無機陽イオンである。
【００３５】
一般式（ｂ１）の化合物の調製方法としては、特に限定されるものではないが、例えばＲ1b−ＯＨで示される脂肪アルコールに目的に応じてエチレンオキシド及び／又はプロピレンオキシドを所定量付加させた後、三酸化硫黄（液体又は気体）、三酸化硫黄含有ガス、発煙硫酸、クロルスルホン酸から選ばれる硫酸化剤で硫酸エステル化し、所定のアルカリ剤で中和して製造される。エチレンオキシド（以下、ＥＯと表記する）及び／又はプロピレンオキシド（以下、ＰＯと表記する）の付加反応は触媒が必要でありＮａＯＨ、ＫＯＨなどの水酸化アルカリを用いることができる。また、特開平８−３２３２００号公報に記載の酸化マグネシウムを主成分とする触媒を用いることができ、前者は付加モル数分布が比較的広いポリオキシエチレンアルキルエーテルを得ることができ、後者は比較的狭い付加モル数分布を有する化合物を得ることができる。また、特開平１０−１５８３８４号公報に開示されているようにアルカリ触媒と金属酸化物触媒を併用することにより付加モル数分布を制御することも可能である。
【００３６】
一般式（ｂ１）においてｎが０の場合に好適であるＲ1bが分岐構造を有するアルキル基を含む化合物を得る場合には、原料であるＲ1b−ＯＨで示されるアルコールとして、炭素数８以上１４以下の１−アルケンをヒドロホルミル化して得られたアルコール（ＯＨ基に対してβ位にメチル基が分岐したアルキル基が１５モル％以上７０モル％以下含まれる）、炭素数４以上８以下のアルデヒドを縮合させた後、還元して得られるゲルベ型アルコール（ＯＨ基に対してβ位に炭素数３以上６以下のアルキル基が分岐した構造のものが１００モル％含まれる）、イソブテンの２量体をヒドロホルミル化して得られる３，５，５−トリメチルヘキサノール、イソブテンの３量体をヒドロホルミル化して得られる多分岐トリデカノール（分岐率は１００モル％である）、石油、石炭を原料とした合成アルコール（分岐率が約２０モル％以上１００モル％以下のアルキル基である）を挙げることができる。
【００３７】
本発明では、（ｂ）成分として、一般式（ｂ１）で表される化合物であって、Ｒ1bとして好ましくは炭素数８以上、さらに好ましくは１０以上、そして、好ましくは１８以下、さらに好ましくは１４以下、さらに好ましくは１２以下の直鎖アルキル基を含み、Ｒ2bとしてプロピレン基を含み、ｎが好ましくは０．１以上、さらに好ましくは０．２以上、さらに好ましくは０．４以上、そして、好ましくは１．５以下、さらに好ましくは１．０以下、さらに好ましくは０．８以下の数である化合物が好ましい。
【００３８】
なお、本発明では、（ｂ）成分に係る質量に関する記述（質量％や質量比）は、（ｂ）成分の一般式（ｂ１）中のＭ2をナトリウムと仮定したときの質量（ナトリウム塩換算での比率）に基づくものとする。
【００３９】
本発明の硬質表面用液体洗浄剤組成物は、（ｂ）成分を、洗浄力の観点から、０質量％以上、そして、３質量％未満、好ましくは２．５質量％以下、さらに好ましくは２質量％以下、さらに好ましくは１．５質量％以下、さらに好ましくは１質量％以下、さらに好ましくは１質量％未満、さらに好ましくは０．５質量％以下、さらに好ましくは０．５質量％未満、さらに好ましくは０．１質量％以下、さらに好ましくは０．１質量％未満、含有する。（ｂ）成分の含有量は、組成物中、０質量％であってもよい。
【００４０】
また本発明の硬質表面用液体洗浄剤組成物は、（ｂ）成分を、本発明の硬質表面用液体洗浄剤組成物を泡状形態で用いた場合に泡比容を大きくできる観点から、好ましくは０．１質量％以上、より好ましくは０．３質量％以上、さらに好ましくは０．５質量％以上、よりさらに好ましくは１質量％以上含有する。この場合の上限値は前記の範囲から選択できる。
【００４１】
＜（ｃ）成分＞
本発明の（ｃ）成分は、スルホベタイン及びカルボベタインから選ばれる１種以上の両性界面活性剤である。洗浄力の観点から、スルホベタインが好ましい。
【００４２】
スルホベタインとしては、アルキル基の炭素数が好ましくは１０以上、好ましくは１８以下、より好ましくは１４以下のＮ−アルキル−Ｎ，Ｎ−ジメチル−Ｎ−スルホプロピルアンモニウムスルホベタイン、アルキル基の炭素数が好ましくは１０以上、好ましくは１８以下、より好ましくは１４以下のＮ−アルキル−Ｎ，Ｎ−ジメチル−Ｎ−（２−ヒドロキシスルホプロピル）アンモニウムスルホベタイン、アルカノイル基の炭素数が好ましくは１０以上、好ましくは１８以下、より好ましくは１４以下のＮ−アルカノイルアミノプロピル−Ｎ，Ｎ−ジメチル−Ｎ−スルホプロピルアンモニウムスルホベタイン、アルカノイル基の炭素数が好ましくは１０以上、好ましくは１８以下、より好ましくは１４以下のＮ−アルカノイルアミノプロピル−Ｎ，Ｎ−ジメチル−Ｎ−（２−ヒドロキシスルホプロピル）アンモニウムスルホベタインが挙げられる。
【００４３】
カルボベタインとしては、アルキル基の炭素数が好ましくは１０以上、好ましくは１８以下、より好ましくは１４以下のＮ−アルキル−Ｎ，Ｎ−ジメチル−Ｎ−カルボキシメチルアンモニウムベタインや下記一般式（ｃ１）で表される化合物が挙げられ、洗浄力の観点から一般式（ｃ１）で表される化合物が好ましい。
【００４４】
【化４】
0006771952.tif 000005
【００４５】
（式中、Ｒ1cは炭素数７以上２１以下のアルキル基又はアルケニル基を示し、Ｒ2cはプロピレン基を示し、Ｒ3cおよびＲ4cは、それぞれ独立に、炭素数１以上３以下のアルキル基を示す。）
【００４６】
一般式（ｃ１）中、Ｒ1cは、好ましくは９以上、より好ましくは１１以上、そして、好ましくは１５以下、より好ましくは１３以下のアルキル基又はアルケニル基であり、ノニル基、デシル基、ウンデシル基、ドデシル基、トリデシル基が好ましい。
一般式（ｃ１）中、Ｒc3およびＲc4は、それぞれ独立に、好ましくはメチル基である。
【００４７】
一般式（ｃ１）で表される化合物としては、アーモンドアミドプロピルベタイン、アプリコットアミドプロピルベタイン、アボカドアミドプロピルベタイン、ババスアミドプロピルベタイン、ベヘナミドプロピルベタイン、キャノーラアミドプロピルベタイン、カプリル／カプラミドプロピルベタイン、コカミドプロピルベタイン、ココ／オレアミドプロピルベタイン、イソステアラミドプロピルベタイン、ラウラミドプロピルベタイン、ミルクアミドプロピルベタイン、ミンクアミドプロピルベタイン、ミリスタミドプロピルベタイン、オレアミドプロピルベタイン、オリーブアミドプロピルベタイン、パルマムアミドプロピルベタイン、パルミタムアミドプロピルベタイン、リシノール酸アミドプロピルベタイン、セサミドプロピルベタイン、ソイアミドプロピルベタイン、ステアラミドプロピルベタイン、牛脂アミドプロピルベタイン、ウンデシレンアミドプロピルベタイン、及び小麦胚芽アミドプロピルベタインが挙げられる。一般式（ｃ１）で表される化合物としては、ラウラミドプロピルベタイン、ミリスタミドプロピルベタイン、オレアミドプロピルベタイン、及び牛脂アミドプロピルベタインから選ばれる一種以上が好ましい。これらは、一般式（ｃ１）中のＲ3cおよびＲ4cは、それぞれメチル基の化合物である。
【００４８】
本発明の硬質表面用液体洗浄剤組成物は、（ｃ）成分を、洗浄力の観点から、好ましくは０．１質量％以上、より好ましくは０．３質量％以上、さらに好ましくは０．５質量％以上、よりさらに好ましくは１質量％以上、よりさらに好ましくは１．５質量％以上、そして、原料コストを低減する観点から、好ましくは３０質量％以下、より好ましくは２０質量％以下、さらに好ましくは１５質量％以下、よりさらに好ましくは１０質量％以下、よりさらに好ましくは８質量％以下、よりさらに好ましくは５質量％以下、よりさらに好ましくは３質量％以下、含有する。
【００４９】
本発明の硬質表面用液体洗浄剤組成物において、（ａ）成分、（ｂ）成分及び（ｃ）成分の合計含有量は、洗浄力の観点から、好ましくは０．６質量％以上、より好ましくは１質量％以上、さらに好ましくは２質量％以上、さらに好ましくは２質量％を超え、さらに好ましくは２．５質量％以上、さらに好ましくは３質量％以上、よりさらに好ましくは４質量％以上、そして、吐出性を良好にする観点、界面活性剤の原料コストを低減する観点及び溶剤量を低減する観点から、好ましくは４０質量％以下、より好ましくは３５質量％以下、さらに好ましくは３０質量％以下、さらに好ましくは２５質量％以下、さらに好ましくは２０質量％以下、さらに好ましくは１８質量％以下、さらに好ましくは１５質量％以下、よりさらに好ましくは１０質量％以下である。本発明の硬質表面用液体洗浄剤組成物、好ましくは、硬質表面に接触させ機械力をかけずに洗浄する方法に用いられる本発明の硬質表面用液体洗浄剤組成物では、（ａ）成分、（ｂ）成分及び（ｃ）成分の合計含有量から、０．１質量％、０．６４質量％、２質量％及び／又は２０質量％を除くことができる。
【００５０】
本発明の硬質表面用液体洗浄剤組成物において、全界面活性剤中の、（ａ）成分、（ｂ）成分及び（ｃ）成分の合計含有量の割合は、洗浄力の観点から、好ましくは５０質量％以上、より好ましくは６０質量％以上、さらに好ましくは７０質量％以上、よりさらに好ましくは８０質量％以上、よりさらに好ましくは９０質量％以上であり、好ましくは１００質量％以下である。
【００５１】
本発明の硬質表面用液体洗浄剤組成物において、（ａ）成分の含有量と、（ａ）成分、（ｂ）成分及び（ｃ）成分の合計含有量との質量比である、（ａ）成分／［（ａ）成分＋（ｂ）成分＋（ｃ）成分］の質量比は、洗浄力の観点から、好ましくは０．１以上、より好ましくは０．２以上、さらに好ましくは０．３以上、さらに好ましくは０．３５以上、さらに好ましくは０．４以上、そして、同様の観点から、好ましくは０．９以下、より好ましくは０．８５以下、さらに好ましくは０．８以下、さらに好ましくは０．７５以下、さらに好ましくは０．７以下、さらに好ましくは０．６５以下である。なお、［（ａ）成分＋（ｂ）成分＋（ｃ）成分］は、（ａ）成分、（ｂ）成分及び（ｃ）成分の合計含有量の意味である（以下の質量比でも同様）。
【００５２】
本発明の硬質表面用液体洗浄剤組成物において、（ｂ）成分の含有量と、（ａ）成分、（ｂ）成分及び（ｃ）成分の合計含有量との質量比である、（ｂ）成分／［（ａ）成分＋（ｂ）成分＋（ｃ）成分］の質量比は、洗浄力の観点から、０．３以下、好ましくは０．３未満、好ましくは０．２６以下、より好ましくは０．２以下、さらに好ましくは０．２未満、さらに好ましくは０．１５以下、さらに好ましくは０．１５未満、よりさらに好ましくは０．１以下である。また本発明の硬質表面用液体洗浄剤組成物において、（ｂ）成分／［（ａ）成分＋（ｂ）成分＋（ｃ）成分］の質量比は、本発明の硬質表面用液体洗浄剤組成物を泡状形態で用いた場合に泡比容を大きくできる泡比容の観点から、０以上、好ましくは０．０３以上、より好ましくは０．０５以上、さらに好ましくは０．０７以上、さらに好ましくは０．１以上、さらに好ましくは０．１５以上、さらに好ましくは０．２以上である。（ｂ）成分／［（ａ）成分＋（ｂ）成分＋（ｃ）成分］の質量比は、０であってもよい。
【００５３】
本発明の硬質表面用液体洗浄剤組成物において、（ｃ）成分の含有量と、（ａ）成分、（ｂ）成分及び（ｃ）成分の合計含有量との質量比である、（ｃ）成分／［（ａ）成分＋（ｂ）成分＋（ｃ）成分］の質量比は、洗浄力の観点から、好ましくは０．１以上、より好ましくは０．２以上、さらに好ましくは０．３以上、さらに好ましくは０．３５以上、さらに好ましくは０．４以上、そして、同様の観点から、好ましくは０．９以下、より好ましくは０．８５以下、さらに好ましくは０．８以下、さらに好ましくは０．７５以下、さらに好ましくは０．７以下、さらに好ましくは０．６５以下である。
【００５４】
本発明の硬質表面用液体洗浄剤組成物において、（ａ）成分の含有量と（ｃ）成分の含有量との質量比である、（ａ）成分／（ｃ）成分の質量比は、洗浄力の観点から、好ましくは０．１以上、より好ましくは０．２以上、さらに好ましくは０．３以上、さらに好ましくは０．４以上、さらに好ましくは０．５以上、さらに好ましくは０．６以上、そして、保存安定性及び洗浄力の観点から、好ましくは１０以下、より好ましくは８以下、さらに好ましくは７以下、さらに好ましくは６以下、さらに好ましくは５以下、さらに好ましくは４以下、さらに好ましくは３以下、よりさらに好ましくは２以下、保存安定性の観点から、さらに好ましくは１以下、さらに好ましくは０．８以下である。
【００５５】
＜（ｄ）成分＞
本発明の硬質表面用液体洗浄剤組成物は、洗浄力の観点から、（ｄ）成分として、アルキルグリセリルエーテルを含有することができる。（ｄ）成分としては、アルキル基の炭素数が６以上１８以下のアルキルモノグリセリルエーテルが挙げられる。具体的には下記一般式（ｄ１）の化合物が好適である。
Ｒ1d−Ｏ−（Ｇｌｙ）r−Ｈ        （ｄ１）
〔式中、Ｒ1dは炭素数６以上１８以下のアルキル基を示し、Ｇｌｙはグリセリン由来の構成単位を示し、好ましくはグリセリンから１つの水酸基と１つの水素原子を除いた残基を示し、ｒは１以上４以下の数を示す。〕
【００５６】
一般式（ｄ１）中、Ｒ1dは、好ましくは炭素数６以上、より好ましくは炭素数８以上、そして、好ましくは炭素数１８以下、より好ましくは炭素数１２以下の、アルキル基が挙げられ、オクチル基、２−エチルヘキシル基、デシル基、ドデシル基が好ましい。ｒは１が好ましい。
【００５７】
本発明の硬質表面用液体洗浄剤組成物は、（ｄ）成分を、洗浄力の観点から、好ましくは０．１質量％以上、より好ましくは０．２質量％以上、さらに好ましくは０．５質量％以上、そして、好ましくは６質量％以下、より好ましくは４質量％以下、さらに好ましくは２質量％以下、含有する。
【００５８】
＜（ｅ）成分＞
本発明の硬質表面用液体洗浄剤組成物は、洗浄力及び配合安定性の観点から、（ｅ）成分として、溶剤を含有することが好ましい。溶剤は、好ましくは炭素数２以上、より好ましくは炭素数３以上、好ましくは炭素数１０以下、より好ましくは炭素数８以下の水溶性有機溶剤が好ましく、具体例としては、エタノール、イソプロピルアルコール、エチレングリコール、プロピレングリコール、ジエチレングリコール、ジプロピレングリコール、グリセリン、イソプレングリコール、プロピレングリコールモノメチルエーテル、プロピレングリコールモノエチルエーテル、３−メチル−３−メトキシブタノール、フェノキシエタノール、フェニルグリコール、フェノキシイソプロパノール、ブチルジグリコール（ジエチレングリコールモノブチルエーテル）、ジブチレンジグリコール、及びベンジルアルコールから選ばれる水溶性有機溶剤がより好ましい。なかでも、ブチルジグリコール、エタノール、及びプロピレングリコールから選ばれる１種以上の水溶性有機溶剤がさらに好ましい。ここで、水溶性有機溶剤とは、オクタノール／水分配係数（ＬｏｇＰｏｗ）が３．５以下の溶剤を指すものとする。
（ｅ）成分中、ブチルジグリコールの割合は、好ましくは２５質量％以上、より好ましくは５０質量％以上、そして、好ましくは１００質量％以下である。
（ｅ）成分中、エタノールの割合は、好ましくは５０質量％以下、より好ましくは２５質量％以下、さらに好ましくは１０質量％以下である。
【００５９】
本発明の硬質表面用液体洗浄剤組成物は、（ｅ）成分を、洗浄力及び配合安定性の観点から、好ましくは０．５質量％以上、より好ましくは２質量％以上、さらに好ましくは４質量％以上、そして、好ましくは３０質量％以下、より好ましくは２０質量％以下、さらに好ましくは１０質量％以下、含有する。
【００６０】
本発明の硬質表面用液体洗浄剤組成物が（ｅ）成分を含有する場合、（ｅ）成分の含有量と、（ａ）成分及び（ｃ）成分の合計含有量との質量比である、（ｅ）成分／［（ａ）成分＋（ｃ）成分］の質量比は、保存安定性及び洗浄力の観点から、好ましくは０．５以上、より好ましくは１以上、さらに好ましくは１．２以上、よりさらに好ましくは１．５以上、そして、同様の観点から、好ましくは５以下、より好ましくは４以下、さらに好ましくは３以下、よりさらに好ましくは２以下である。
また、（ｅ）成分の含有量と、（ａ）成分、（ｂ）成分及び（ｃ）成分の合計含有量との質量比である、（ｅ）成分／［（ａ）成分＋（ｂ）成分＋（ｃ）成分］の質量比は、保存安定性及び洗浄力の観点から、好ましくは０．５以上、より好ましくは１以上、さらに好ましくは１．２以上、よりさらに好ましくは１．５以上、そして、同様の観点から、好ましくは５以下、より好ましくは４以下、さらに好ましくは３以下、よりさらに好ましくは２以下である。
【００６１】
＜（ｆ）成分＞
本発明の硬質表面用液体洗浄剤組成物は、配合安定性の観点から、（ｆ）成分として、ハイドロトロープ剤を含有することができる。ハイドロトロープ剤としては、トルエンスルホン酸、キシレンスルホン酸、クメンスルホン酸又はこれらのナトリウム、カリウムあるいはマグネシウム塩が良好であり、特にｐ−トルエンスルホン酸又はその塩が良好である。
【００６２】
本発明の硬質表面用液体洗浄剤組成物は、（ｆ）成分を、配合安定性の観点から、好ましくは０．５質量％以上、より好ましくは１質量％以上、さらに好ましくは１．５質量％以上、そして、好ましくは１５質量％以下、より好ましくは１０質量％以下、さらに好ましくは５質量％以下、含有する。
【００６３】
＜（ｇ）成分＞
本発明の硬質表面用液体洗浄剤組成物は、洗浄力の観点から、（ｇ）成分として、キレート剤を含有することができる。キレート剤としては、クエン酸、エチレンジアミン４酢酸塩、メチルグリシン２酢酸、Ｌ−グルタミン酸二酢酸・四ナトリウム等が挙げられる。
【００６４】
本発明の硬質表面用液体洗浄剤組成物は、（ｇ）成分を、洗浄力の観点から、好ましくは０．１質量％以上、より好ましくは１．０質量％以上、さらに好ましくは２．０質量％以上、そして、好ましくは２０質量％以下、より好ましくは１０質量％以下、さらに好ましくは６質量％以下、含有する。
【００６５】
＜（ｈ）成分＞
本発明の硬質表面用液体洗浄剤組成物は、起泡性、すすぎ性の観点から、（ｈ）成分として、炭素数８以上２２以下の脂肪酸又はその塩を含有してもよい。
【００６６】
本発明の（ｈ）成分は、起泡性、すすぎ性、洗浄力の観点から、好ましくは炭素数８以上、より好ましくは１０以上、そして、好ましくは炭素数２２以下、より好ましくは１８以下、さらに好ましくは１４以下の脂肪酸又はその塩である。
【００６７】
（ｈ）成分としては、オクタン酸、デカン酸、ラウリン酸、ミリスチン酸、パルミチン酸、パルミトレイン酸、ステアリン酸、オレイン酸、リノール酸、リノレイン酸及びこれらの塩が挙げられる。また、椰子組成脂肪酸などの混合脂肪酸を用いることも可能である。脂肪酸の塩としては、ナトリウム塩、カリウム塩、マグネシウム塩、アンモニウム塩から選ばれる無機塩、モノエタノールアンモニウム塩、ジエタノールアンモニウム塩、トリエタノールアンモニウム塩などの有機アミン塩であるが、好ましくはナトリウム塩、カリウム塩、マグネシウム塩、より好ましくはナトリウム塩、カリウム塩が挙げられる。
【００６８】
（ｈ）成分としては、好ましくはデカン酸、ラウリン酸、ミリスチン酸、パルミチン酸又はこれらの塩であり、より好ましくはデカン酸、ラウリン酸、ミリスチン酸又はこれらの塩から選ばれる一種以上であり、よりさらに好ましくはデカン酸、ラウリン酸又はその塩から選ばれる一種以上である。配合安定性の観点から、（ｈ）成分がラウリン酸又はその塩を含むことが好ましく、（ｈ）成分中、ラウリン酸又はその塩の割合は、好ましくは２０質量％以上、より好ましくは５０質量％以上、さらに好ましくは８０質量％以上、そして、好ましくは１００質量％以下、より好ましくは１００質量％である。
【００６９】
本発明の硬質表面用液体洗浄剤組成物は、（ｈ）成分を、起泡性、すすぎ性の観点から、好ましくは０質量％以上、そして、洗浄力の観点から、好ましくは３質量％以下、より好ましくは３質量％未満、さらに好ましくは２．５質量％以下、さらに好ましくは２質量％以下、さらに好ましくは１．５質量％以下、さらに好ましくは１質量％以下、さらに好ましくは１質量％未満、さらに好ましくは０．５質量％以下、さらに好ましくは０．５質量％未満、さらに好ましくは０．１質量％以下、さらに好ましくは０．１質量％未満、含有する。（ｈ）成分の含有量は、組成物中、０質量％であってもよい。
【００７０】
なお、本発明では、（ｈ）成分に係る質量に関する記述（質量％や質量比）は、脂肪酸換算に基づくものとする。
【００７１】
本発明の硬質表面用液体洗浄剤組成物は、（ｂ）成分と（ｈ）成分とを合計で、起泡性、すすぎ性の観点から、好ましくは０質量％以上、そして、洗浄力の観点から、好ましくは３質量％未満、より好ましくは２．５質量％以下、さらに好ましくは２質量％以下、さらに好ましくは１．５質量％以下、さらに好ましくは１質量％以下、さらに好ましくは１質量％未満、さらに好ましくは０．５質量％以下、さらに好ましくは０．５質量％未満、さらに好ましくは０．１質量％以下、さらに好ましくは０．１質量％未満、含有する。（ｂ）成分と（ｈ）成分の合計含有量は、組成物中、０質量％であってもよい。
【００７２】
本発明の硬質表面用液体洗浄剤組成物において、（ａ）成分、（ｂ）成分、（ｃ）成分及び（ｈ）成分の合計含有量は、洗浄力の観点から、好ましくは０．６質量％以上、より好ましくは１質量％以上、さらに好ましくは２質量％以上、さらに好ましくは３質量％以上、よりさらに好ましくは４質量％以上、そして、界面活性剤の原料コストを低減する観点及び溶剤量を低減する観点から、好ましくは４０質量％以下、より好ましくは３５質量％以下、さらに好ましくは３０質量％以下、さらに好ましくは２５質量％以下、さらに好ましくは２０質量％以下、さらに好ましくは１５質量％以下、よりさらに好ましくは１０質量％以下である。
【００７３】
本発明の硬質表面用液体洗浄剤組成物において、全界面活性剤中の、（ａ）成分、（ｂ）成分、（ｃ）成分及び（ｈ）成分の合計含有量の割合は、洗浄力の観点から、好ましくは５０質量％以上、より好ましくは６０質量％以上、さらに好ましくは７０質量％以上、よりさらに好ましくは８０質量％以上、よりさらに好ましくは９０質量％以上、そして、好ましくは１００質量％以下である。
【００７４】
本発明の硬質表面用液体洗浄剤組成物において、（ａ）成分の含有量と、（ａ）成分、（ｂ）成分、（ｃ）成分及び（ｈ）成分の合計含有量との質量比である、（ａ）成分／［（ａ）成分＋（ｂ）成分＋（ｃ）成分＋（ｈ）成分］の質量比は、洗浄力の観点から、好ましくは０．１以上、より好ましくは０．２以上、さらに好ましくは０．３以上、さらに好ましくは０．３５以上、さらに好ましくは０．４以上、そして、同様の観点から、好ましくは０．９以下、より好ましくは０．８５以下、さらに好ましくは０．８以下、さらに好ましくは０．７５以下、さらに好ましくは０．７以下、さらに好ましくは０．６５以下である。
【００７５】
本発明の硬質表面用液体洗浄剤組成物において、（ｂ）成分と（ｈ）成分の合計含有量と、（ａ）成分、（ｂ）成分、（ｃ）成分及び（ｈ）成分の合計含有量との質量比である、［（ｂ）成分＋（ｈ）成分］／［（ａ）成分＋（ｂ）成分＋（ｃ）成分＋（ｈ）成分］の質量比は、洗浄力の観点から、好ましくは０．３以下、より好ましくは０．３未満、さらに好ましくは０．２６以下、さらに好ましくは０．２以下、さらに好ましくは０．２未満、さらに好ましくは０．１５以下、さらに好ましくは０．１５未満、よりさらに好ましくは０．１以下である。また本発明の硬質表面用液体洗浄剤組成物において、［（ｂ）成分＋（ｈ）成分］／［（ａ）成分＋（ｂ）成分＋（ｃ）成分＋（ｈ）成分］の質量比は、本発明の硬質表面用液体洗浄剤組成物を泡状形態で用いた場合に泡比容を大きくできる泡比容の観点から、０以上、好ましくは０．０３以上、より好ましくは０．０５以上、さらに好ましくは０．０７以上、さらに好ましくは０．１以上、さらに好ましくは０．１５以上、さらに好ましくは０．２以上である。［（ｂ）成分＋（ｈ）成分］／［（ａ）成分＋（ｂ）成分＋（ｃ）成分＋（ｈ）成分］の質量比は、０であってもよい。
【００７６】
本発明の硬質表面用液体洗浄剤組成物において、（ｃ）成分の含有量と、（ａ）成分、（ｂ）成分、（ｃ）成分及び（ｈ）成分の合計含有量との質量比である、（ｃ）成分／［（ａ）成分＋（ｂ）成分＋（ｃ）成分＋（ｈ）成分］の質量比は、洗浄力の観点から、好ましくは０．１以上、より好ましくは０．２以上、さらに好ましくは０．３以上、さらに好ましくは０．３５以上、さらに好ましくは０．４以上、そして、同様の観点から、好ましくは０．９以下、より好ましくは０．８５以下、さらに好ましくは０．８以下、さらに好ましくは０．７５以下、さらに好ましくは０．７以下、さらに好ましくは０．６５以下である。
【００７７】
本発明の硬質表面用液体洗浄剤組成物は、ポリアルキレングリコール等のゲル化防止剤、ポリアクリル酸等の増粘剤、酵素、香料、染料、顔料、殺菌剤、防腐剤、ｐＨ調整剤などの成分を含有することができる。
【００７８】
本発明の硬質表面用液体洗浄剤組成物において、固形分の含有量は、洗浄力の観点から、好ましくは０．６質量％以上、より好ましくは１質量％以上、さらに好ましくは２質量％以上、さらに好ましくは３質量％以上、よりさらに好ましくは４質量％以上、そして、原料コストを低減する観点及びスプレイヤーを具備する容器を使用した際の吐出性の観点から、好ましくは６０質量％以下、より好ましくは５０質量％以下、さらに好ましくは４５質量％以下、さらに好ましくは４０質量％以下、さらに好ましくは３５質量％以下、さらに好ましくは３０質量％以下、よりさらに好ましくは２８質量％以下である。
ここで、固形分とは、前記（ａ）〜（ｃ）成分及びその他の任意成分、すなわち水以外の成分である。
【００７９】
本発明の硬質表面用液体洗浄剤組成物は、水を含有する。すなわち、前記（ａ）〜（ｃ）成分及び任意成分以外の残部が水である。本発明の硬質表面用液体洗浄剤組成物は、水を、好ましくは３０質量％以上、より好ましくは５０質量％以上、より好ましくは６０質量％以上、さらに好ましくは７０質量％以上、そして、好ましくは９８質量％以下、より好ましくは９５質量％以下、より好ましくは９０質量％以下含有する。水は、イオン交換水、滅菌イオン交換水等を使用することが好ましい。
【００８０】
本発明の硬質表面用液体洗浄剤組成物の２５℃におけるｐＨは、手へのマイルド性の観点から、好ましくは２以上、より好ましくは４以上、より好ましくは５以上、そして、好ましくは１０以下、より好ましくは９以下、さらに好ましくは８以下である。
【００８１】
本発明の硬質表面用液体洗浄剤組成物の２０℃における粘度は、好ましくは０．５ｍＰａ・ｓ以上、より好ましくは１ｍＰａ・ｓ以上、そして、好ましくは５０ｍＰａ・ｓ以下、より好ましくは２０ｍＰａ・ｓ以下、さらに好ましくは１０ｍＰａ・ｓ以下、よりさらに好ましくは７ｍＰａ・ｓ以下、よりさらに好ましくは５ｍＰａ・ｓ以下である。粘度は溶剤やハイドロトロープ剤などで調整することができる。
【００８２】
本発明の硬質表面用液体洗浄剤組成物は、硬質物品の硬質表面用、さらに食器又は台所周りの硬質物品の硬質表面用、さらに食器の硬質表面用であることが好ましい。また、硬質物品の硬質表面の手洗い洗浄用、さらに食器又は台所周りの硬質物品の硬質表面の手洗い洗浄用、さらに食器の硬質表面の手洗い洗浄用であることが好ましい。
具体的には、本発明の硬質表面用液体洗浄剤組成物は、好ましくは硬質物品の硬質表面への塗布用洗浄剤、より好ましくは食器又は台所周りの硬質物品の硬質表面への塗布用洗浄剤、さらに好ましくは食器の硬質表面への塗布用洗浄剤である。
また、具体的には、本発明の硬質表面用液体洗浄剤組成物は、好ましくは硬質物品の硬質表面への噴霧用洗浄剤、より好ましくは食器又は台所周りの硬質物品の硬質表面への噴霧用洗浄剤、さらに好ましくは食器の硬質表面への噴霧用洗浄剤である。
【００８３】
硬質物品としては、パイプ、部品等の食品製造機器、台所周りの硬質物品、食器等が挙げられ、本発明の硬質表面用液体洗浄剤組成物は、固体脂の洗浄性に優れることから、硬質物品、好ましくは食器及び台所周りの硬質物品、より好ましくは食器を洗浄対象とする。
台所周りの硬質物品は、台所の周辺で使用される物品であり、具体的には、冷蔵庫、食器棚などの食品、食器、調理器具の保存場所；排水溝、調理台、レンジフード、シンク、ガスレンジ、電子レンジなどの食品の調理場所；及びそれらの周辺の床や壁等である。本発明では、これらを便宜上「台所周りの硬質物品」とする。
また、食器としては、具体的には、皿、椀等のいわゆる食器；タッパー、瓶等の保存容器；包丁やまな板、鍋、フライパン、魚焼きグリル等の調理器具；フードプロセッサー、ミキサー等の調理家電等の食材が接触する部材や器具が挙げられる。本発明では、これらを便宜上「食器」とする。
また、本発明の硬質表面用液体洗浄剤組成物は、食器、保存容器、調理器具、及び調理家電から選ばれる物品用であることが好ましく、さらに皿、椀、タッパー、ビン、包丁、まな板、鍋、フライパン、魚焼きグリル、フードプロセッサー、及びミキサーから選ばれる物品用であることがより好ましい。
また、本発明の洗浄対象である硬質表面、さらに食器及び台所周りの硬質表面、さらに食器の硬質表面の材質は、プラスチック（シリコーン樹脂などを含む）、金属、陶器、木、及びそれらの組み合わせが挙げられる。
【００８４】
＜硬質表面の洗浄方法＞
本発明の硬質表面の洗浄方法は、本発明の硬質表面用液体洗浄剤組成物を、硬質表面に接触させる、硬質表面の洗浄方法である。
すなわち、本発明の硬質表面の洗浄方法では、本発明の硬質表面用液体洗浄剤組成物を用いる。該組成物の好ましい態様は、前記した本発明の硬質表面用液体洗浄剤組成物と同じである。
本発明の硬質表面の洗浄方法は、本発明の硬質表面用液体洗浄剤組成物を、油汚れが付着した硬質表面、さらに固体脂を含む油汚れが付着した硬質表面に接触させる、硬質表面の洗浄方法として好適に実施できる。
これらの方法は、本発明の硬質表面用液体洗浄剤組成物を、硬質表面に付着した油汚れに接触させる、硬質表面の洗浄方法である。
ある側面において、本発明は、前記本発明の油除去用硬質表面用液体洗浄剤組成物を、油汚れが付着した硬質表面に接触させる、硬質表面の洗浄方法を提供する。
【００８５】
固体脂を含む油汚れは、油脂を含んだ汚れであって、この油脂が常温（例えば２０℃）で固体を呈するものである。固体脂を含む油汚れは、典型的には固体脂を含む油汚れ、更に固体脂と液体油とを含む油汚れである。前記硬質表面用液体洗浄剤組成物を接触させるときの固体脂を含む油汚れの形態は、固体脂と液体油とが混在した状態であってもよい。
【００８６】
本発明の硬質表面の洗浄方法は、前記硬質表面用液体洗浄剤組成物における（ｂ）成分／［（ａ）成分＋（ｂ）成分＋（ｃ）成分］の質量比が、泡比容の観点から、好ましくは０．１５以上、より好ましくは０．２以上、そして０．３以下である硬質表面用液体洗浄剤組成物を用いて実施することができる。
また、本発明の硬質表面の洗浄方法は、前記硬質表面用液体洗浄剤組成物における（ｂ）成分／［（ａ）成分＋（ｂ）成分＋（ｃ）成分］の質量比が、洗浄力の観点から、好ましくは０．２未満、そして好ましくは０以上である硬質表面用液体洗浄剤組成物を用いて実施することができる。
【００８７】
本発明の硬質表面の洗浄方法では、本発明の硬質表面用液体洗浄剤組成物を、硬質表面に接触させる。
具体的には、前記硬質表面用液体洗浄剤組成物を、希釈せずに硬質表面に接触させる、つまり、前記硬質表面用液体洗浄剤組成物を、希釈することなく、硬質表面に接触させる洗浄方法が挙げられる。さらに、前記硬質表面用液体洗浄剤組成物を、希釈することなく、固体脂を含む油汚れが付着した硬質表面に接触させる洗浄方法が挙げられる。
前記硬質表面用液体洗浄剤組成物を希釈することなく固体脂を含む油汚れが付着した硬質表面に接触させる、とは、該洗浄剤組成物を、意図的に水などで希釈した後、固体脂を含む汚れが付着した硬質表面と接触させないことである。例えば、前記液体洗浄剤組成物を水滴等が付着した硬質表面と接触させたり、前記液体洗浄剤組成物を硬質表面に接触させた後、水滴が硬質表面に付着したりする場合は、前記液体洗浄剤組成物を希釈することなく固体脂を含む油汚れが付着した硬質表面に接触させていると理解できる。
本発明では、前記硬質表面用液体洗浄剤組成物の原液をそのまま、つまり組成を変動させることなく、硬質表面に付着させる。例えば、前記硬質表面用液体洗浄剤組成物を、含水したスポンジに付着させることなく、固体脂を含む油汚れが付着した硬質表面に接触させる。硬質表面に接触した後は、前記硬質表面用液体洗浄剤組成物の組成が変動してもよい。すなわち、硬質表面に接触した後は、前記硬質表面用液体洗浄剤組成物の組成が希釈又は濃縮されてもよい。
【００８８】
本発明の硬質表面の洗浄方法では、本発明の（ａ）成分、（ｂ）成分、（ｃ）成分を含む濃厚組成物を調製しておき、該濃厚組成物を水で希釈して本発明の硬質表面用液体洗浄剤組成物を調製し、硬質表面に接触させてもよい。すなわち、本発明の（ａ）成分、（ｂ）成分、（ｃ）成分を含有する濃厚組成物を水で希釈して本発明の硬質表面用液体洗浄剤組成物に調製し、該硬質表面用液体洗浄剤組成物を希釈せずに硬質表面に接触させる、硬質表面の洗浄方法であってもよい。
【００８９】
また、本発明の硬質表面の洗浄方法は、前記硬質表面用液体洗浄剤組成物を、硬質表面に接触させた後、機械力をかけずに放置する洗浄方法が挙げられる。この方法は、手や道具の届かない部位や届きにくい細部の洗浄に好適である。
機械力をかけずに放置するとは、例えば、組成物の接触以外に、洗浄のための意図的な操作を行わないことである。例えば、接触させた組成物が硬質表面の表面を自然に流下することや、洗浄を意図しない振動が硬質表面に伝わることなどは、機械力をかけずに放置すると理解できる。
つまり、本発明の洗浄方法として、前記硬質表面用液体洗浄剤組成物を、スポンジ等の可撓性材料を用いることなく硬質表面に接触させ、機械力をかけずにそのまま放置する洗浄方法が挙げられる。
放置した後は、通常、水ですすぐ。すすぐ際は、手などで機械力（物理的力）を掛けてもよく、単に水流ですすいでもよい。
【００９０】
本発明の硬質表面の洗浄方法では、前記硬質表面用液体洗浄剤組成物を、対象物である硬質表面の面積１００ｃｍ２に対して、好ましくは０．１ｇ以上、より好ましくは０．３ｇ以上、さらに好ましくは０．４ｇ以上、そして、好ましくは５ｇ以下、より好ましくは３ｇ以下、さらに好ましくは２ｇ以下の割合で接触させる、さらに、塗布又は噴霧することが好ましい。
【００９１】
本発明の硬質表面の洗浄方法では、洗浄力を高める観点から、硬質表面用液体洗浄剤組成物を硬質表面に接触後、好ましくは１０秒以上、より好ましくは２０秒以上、さらに好ましくは３０秒以上、さらに好ましくは４０秒以上、そして洗浄時間を短縮する観点から、好ましくは６０分以下、より好ましくは３０分以下、さらに好ましくは２０分以下、より好ましくは１０分以下、よりさらに好ましくは５分以下、機械力をかけずに放置する。この場合、最初に前記組成物が硬質表面に接触した時点を放置の開始としてよい。
なお、放置する際の温度は、室温でよく、例えば、１０℃以上３０℃以下が挙げられる。
【００９２】
また、本発明の硬質表面の洗浄方法では、洗浄力を高める観点から、好ましくは１０秒以上、より好ましくは２０秒以上、さらに好ましくは３０秒以上、さらに好ましくは４０秒以上、そして洗浄時間を短縮する観点から、好ましくは６０分以下、より好ましくは３０分以下、さらに好ましくは２０分以下、よりさらに好ましくは１０分以下、より好ましくは５分以下、前記液体洗浄剤組成物と洗浄対象である硬質表面とを接触させる。
【００９３】
本発明の硬質表面の洗浄方法では、前記硬質表面用液体洗浄剤組成物を、油汚れ等が付着した硬質表面を該組成物中に浸漬させて接触させてもよいが、効率的に洗浄力を高める観点から、噴霧又は塗布して、油汚れ等が付着した硬質表面に接触させる方法が好ましい。
前記硬質表面用液体洗浄剤組成物を、油汚れ等が付着した硬質表面に接触させる方法は、噴霧又は塗布が好ましく、液滴状にして噴霧する又は泡状にして塗布する方法が好ましい。具体的には、スプレー法により、すなわち本発明の硬質表面用液体洗浄剤組成物を、スプレイヤーを具備する容器に充填してなる硬質表面用洗浄剤物品を用いるのが好ましい。本発明は、本発明の硬質表面用液体洗浄剤組成物を、スプレイヤーを具備する容器に充填してなる、スプレー容器入り硬質表面用洗浄剤物品を提供する。
【００９４】
本発明のスプレー容器入り硬質表面用洗浄剤物品における本発明の硬質表面用液体洗浄剤組成物を充填するスプレイヤーを具備する容器は、トリガー式スプレー容器、ポンプ式スプレー容器等の噴射剤を使用しない手動式スプレー装置、噴射剤を用いるエアゾール等が挙げられるが、内容物を液滴状又は泡状にして噴霧又は塗布することができるトリガー式スプレーが好ましく、内容物を液滴状に噴霧する機構を備えたトリガー式スプレー又は泡を形成する機構（泡形成機構）を備えたトリガー式スプレーがより好ましい。
【００９５】
本発明のスプレー容器入り硬質表面用洗浄剤物品において、液滴状に本発明の硬質表面用液体洗浄剤組成物を噴霧する機構を備えたトリガー式スプレーを用いる場合、前記組成物を入れるスプレー容器の噴射ノズルの噴口径は、スプレーのし易さや、噴射された液滴が荒くなく、直線状にスプレーされず、スプレーできる面積が極端に狭くならないために、好ましくは０．１ｍｍ以上、より好ましくは０．３ｍｍ以上、そして、好ましくは２ｍｍ以下、より好ましくは１ｍｍ以下の範囲である。
液滴状に噴霧する機構を備えたトリガー式スプレーを用いる場合、本発明のスプレー容器入り硬質表面用洗浄剤物品は、１回の操作で、好ましくは０．１ｍＬ以上、より好ましくは０．３ｍＬ以上、そして、好ましくは５ｍＬ以下、より好ましくは２ｍＬ以下の組成物を噴霧する。
【００９６】
また本発明のスプレー容器入り硬質表面用洗浄剤物品において、泡形成機構を備えたトリガー式スプレーを用いる場合、好ましくはスピンエレメント及び直径４〜８ｍｍの円形状の空間部分に棒状の突起を数個設置された液体通過板を有するものが好適である。ここでスピンエレメントとは、スピンエレメントを通じて液状物の流れにスピンを与え、最後にノズルから噴出する機構であり、その詳細な構造としては特開平８−３３２４２２号公報や特開平８−１０８１０２号公報の図４（ｂ）、特開２００２−６８２６５号公報の図１などを参考にすることができる。
【００９７】
泡形成機構を備えたトリガー式スプレーを用いる場合、本発明のスプレー容器入り硬質表面用洗浄剤物品は、１回の操作で、好ましくは０．５ｍＬ以上、より好ましくは１ｍＬ以上、そして、好ましくは３０ｍＬ以下、より好ましくは１５ｍＬ以下、さらに好ましくは５ｍＬ以下の組成物を噴霧する。
【００９８】
泡形成機構のもう一つの部材である液体通過板は、直径５〜７ｍｍの円形状の空間部分に棒状の突起を好ましくは３〜８個設置されたものであり、通過する板を平面で見た場合に、好ましくは幅０．８〜１．２ｍｍ、長さ２〜４ｍｍの長方形状の棒状の突起が好適である。また、棒状の突起を除いた空間部分に対する棒状の突起の占める面積は、好ましくは３０面積％以上、より好ましくは４０面積％以上、そして、好ましくは９０面積％以下、より好ましくは８０面積％以下、さらに好ましくは７０面積％以下であり、このような液体通過板を設置することで、垂直表面への泡の付着滞留性が良好になる。
【００９９】
本発明のスプレー容器入り硬質表面用洗浄剤物品の容器は、一般に使用されている容器を用いることができる。例えば、ポリエチレンやポリプロピレン、ポリエチレンテレフタレートを原料として得られるものであり、ブロー成形などによって製造することができる。容器の肉厚は底面と側面と異なってもよく、０．０１〜２ｍｍが好ましく、容器の容量は１００〜１０００ｍＬが好ましい。容器に充填される硬質表面用液体剤組成物の量は、取り扱い上、２００〜５００ｍＬが望ましい。また液の充填は、常識的な空隙を残して行われる。
【０１００】
本発明の硬質表面の洗浄方法は、硬質物品の硬質表面、さらに食器及び台所周りの硬質物品の硬質表面、さらに食器の硬質表面の洗浄方法として好ましい。また、硬質物品の硬質表面の手洗い洗浄方法、さらに食器及び台所周りの硬質物品の硬質表面の手洗い洗浄方法、さらに食器の硬質表面の手洗い洗浄方法として好ましい。
【０１０１】
本発明の硬質表面の洗浄方法は、硬質物品の硬質表面、好ましくは食器及び台所周りの硬質物品の硬質表面、より好ましくは食器の硬質表面を洗浄対象とする。
硬質物品、食器及び台所周りの硬質物品については、前述のものが挙げられる。
また、本発明の硬質表面の洗浄方法は、食器、保存容器、調理器具、及び調理家電から選ばれる物品の硬質表面を対象とすることが好ましく、さらに皿、椀、タッパー、ビン、包丁、まな板、鍋、フライパン、魚焼きグリル、フードプロセッサー、及びミキサーから選ばれる物品の硬質表面を対象とすることがより好ましい。
本発明の硬質表面の洗浄方法の対象とする硬質表面の材質は、プラスチック（シリコーン樹脂などを含む）、金属、陶器、木、及びそれらの組み合わせが挙げられる。
そして、本発明の硬質表面の洗浄方法は、これら硬質表面に付着した固体脂を含む油汚れを効果的に洗浄することができる。
【０１０２】
本発明の硬質表面の洗浄方法では、本発明の硬質表面用液体洗浄剤組成物を直接硬質表面に接触させる。そして、前記組成物が接触した状態で放置すればよいため、洗浄時において、スポンジ等の可撓性材料による擦り洗いのような機械力をかける作業を必要としない。そのため、本発明の硬質表面の洗浄方法は、食品製造機器、冷蔵庫、食器棚などのパイプ、部品及び排水溝等の手洗い洗浄が不便な硬質物品等、食品、食器、調理器具の保存場所、調理台、レンジフード、シンク、ガスレンジ、電子レンジなどの食品の調理場所及びその周辺の床や壁等の台所周り等の固体脂を含む油汚れが広範に及ぶ硬質表面を有する物品、包丁、ピーラー、おろし金、スライサー、ジューサーの羽根、フードプロセッサーの羽根等の手洗い洗浄に危険が伴う物品、水筒、タンブラー、やかん、ポット等の手洗い洗浄が不便な物品、及び、形状が複雑な部分を具備する物品といった、スポンジ等の可撓性材料を用いた洗浄が困難な物品等にも適用することができる。尚、必要により、擦り洗いを行ってもよい。
さらに、本発明の硬質表面の洗浄方法は、本発明の硬質表面用液体洗浄剤組成物を、好ましくは泡状の前記組成物を、硬質表面に塗布してそのまま放置するため、硬質表面に前記組成物を長く留めることができる。
本発明の硬質表面の洗浄方法は、前記硬質表面用液体洗浄剤組成物を接触させた硬質表面を、水で濯ぐ工程、好ましくは前記硬質表面用液体洗浄剤組成物を接触させた硬質表面を、放置後、水で濯ぐ工程を含むことができる。
【０１０３】
上述した実施形態に関し、本発明はさらに以下の硬質表面用液体洗浄剤組成物、硬質表面の洗浄方法、スプレー容器入り硬質表面用洗浄剤物品、及び使用を開示する。これらの態様には、本発明の硬質表面用液体洗浄剤組成物、硬質表面の洗浄方法、及びスプレー容器入り硬質表面用洗浄剤物品で述べた事項を、相互に適宜適用することができる。
【０１０４】
＜１＞
下記（ａ）成分、（ｂ）成分０質量％以上３質量％未満、（ｃ）成分、及び水を含有し、（ｂ）成分／［（ａ）成分＋（ｂ）成分＋（ｃ）成分］の質量比が０．３以下である、硬質表面用液体洗浄剤組成物。
＜（ａ）成分＞
下記一般式（ａ１）で表されるスルホコハク酸エステル又はその塩
【０１０５】
【化５】
0006771952.tif 000006
【０１０６】
〔式中、Ｒ1a、Ｒ2aは、それぞれ、炭素数５以上１８以下の炭化水素基である。Ａ1、Ａ2はそれぞれ独立に炭素数２以上４以下のアルキレン基、ｘ、ｙは平均付加モル数であり、それぞれ独立に０以上６以下である。Ｍ1は水素原子又は陽イオンである。〕
＜（ｂ）成分＞
炭素数８以上２１以下の炭化水素基と、硫酸エステル基又はスルホン酸基とを有するアニオン界面活性剤〔但し、（ａ）成分を除く〕
＜（ｃ）成分＞
スルホベタイン及びカルボベタインから選ばれる１種以上の両性界面活性剤
【０１０７】
＜２＞
下記（ａ）成分、（ｂ）成分０質量％以上３質量％未満、（ｃ）成分、及び水を含有し、（ｂ）成分／［（ａ）成分＋（ｂ）成分＋（ｃ）成分］の質量比が０．３以下である、油除去用硬質表面用液体洗浄剤組成物。
＜（ａ）成分＞
下記一般式（ａ１）で表されるスルホコハク酸エステル又はその塩
【０１０８】
【化６】
0006771952.tif 000007
【０１０９】
〔式中、Ｒ1a、Ｒ2aは、それぞれ、炭素数５以上１８以下の炭化水素基である。Ａ1、Ａ2はそれぞれ独立に炭素数２以上４以下のアルキレン基、ｘ、ｙは平均付加モル数であり、それぞれ独立に０以上６以下である。Ｍ1は水素原子又は陽イオンである。〕
＜（ｂ）成分＞
炭素数８以上２１以下の炭化水素基と、硫酸エステル基又はスルホン酸基とを有するアニオン界面活性剤〔但し、（ａ）成分を除く〕
＜（ｃ）成分＞
スルホベタイン及びカルボベタインから選ばれる１種以上の両性界面活性剤
【０１１０】
＜３＞
一般式（ａ１）中、Ｒ1a、Ｒ2aが、それぞれ独立に、炭素数５以上、好ましくは６以上、より好ましくは７以上、そして、炭素数１８以下、好ましくは１６以下、さらに好ましくは１４以下の炭化水素基、好ましくは直鎖又は分岐鎖のアルキル基、より好ましくは分岐鎖のアルキル基である、前記＜１＞又は＜２＞に記載の硬質表面用液体洗浄剤組成物。
【０１１１】
＜４＞
一般式（ａ１）中、Ａ1、Ａ2が、それぞれ独立に、炭素数２以上、そして、炭素数４以下、好ましくは３以下のアルキレン基である、前記＜１＞〜＜３＞の何れかに記載の硬質表面用液体洗浄剤組成物。
【０１１２】
＜５＞
一般式（ａ１）中、ｘ、ｙが、平均付加モル数であり、それぞれ独立に、０以上、そして、６以下、好ましくは４以下、より好ましくは２以下、よりさらに好ましくは０である、前記＜１＞〜＜４＞の何れかに記載の硬質表面用液体洗浄剤組成物。
【０１１３】
＜６＞
一般式（ａ１）中、ｘ＋ｙが、好ましくは０以上、そして、好ましくは１２以下、より好ましくは６以下、さらに好ましくは３以下、よりさらに好ましくは０である、前記＜１＞〜＜５＞の何れかに記載の硬質表面用液体洗浄剤組成物。
【０１１４】
＜７＞
一般式（ａ１）中、Ｒ1a、Ｒ2aが、それぞれ、好ましくはヘキシル基、オクチル基、ノニル基、デシル基、ドデシル基、トリデシル基、テトラデシル基、２−エチルヘキシル基、ｎ−オクチル基、ｓｅｃ−オクチル基、イソペンチル基、イソノニル基、イソデシル基、シクロヘキシル基から選ばれるアルキル基である、より好ましくはｎ−オクチル基、ｓｅｃ−オクチル基、デシル基、イソデシル基、及び２−エチルヘキシル基から選ばれるアルキル基である、さらに好ましくは２−エチルヘキシル基、トリデシル基である、よりさらに好ましくは２−エチルヘキシル基である、前記＜１＞〜＜６＞の何れかに記載の硬質表面用液体洗浄剤組成物。
【０１１５】
＜８＞
一般式（ａ１）中、Ｍ1が、好ましくは水素原子、又はナトリウムイオン、アンモニウムイオン、カリウムイオン、マグネシウムイオン等の無機陽イオン、若しくはモノエタノールアミン、ジエタノールアミン、トリエタノールアミン、モルホリンの酸塩等の有機陽イオンである、より好ましくはナトリウムイオン、アンモニウムイオン、カリウムイオン、及びマグネシウムイオンから選ばれる無機陽イオンである、前記＜１＞〜＜７＞の何れかに記載の硬質表面用液体洗浄剤組成物。
【０１１６】
＜９＞
（ａ）成分を、好ましくは０．５質量％以上、より好ましくは０．８質量％以上、さらに好ましくは１質量％以上、よりさらに好ましくは１．５質量％以上、よりさらに好ましくは１．７質量％以上、そして、好ましくは３０質量％以下、より好ましくは２０質量％以下、さらに好ましくは１５質量％以下、よりさらに好ましくは１０質量％以下、よりさらに好ましくは８質量％以下、よりさらに好ましくは５質量％以下、よりさらに好ましくは３質量％以下、含有する、前記＜１＞〜＜８＞の何れかに記載の硬質表面用液体洗浄剤組成物。
【０１１７】
＜１０＞
（ｂ）成分の炭化水素基が、炭素数が８以上、好ましくは１０以上、より好ましくは１２以上、そして２１以下、好ましくは１８以下、より好ましくは１４以下、さらに好ましくは１２以下のアルキル基又はアリール基である、前記＜１＞〜＜９＞の何れかに記載の硬質表面用液体洗浄剤組成物。
【０１１８】
＜１１＞
（ｂ）成分が、アルキル硫酸エステル塩、ポリオキシアルキレンアルキルエーテル硫酸エステル塩、及びアルカンスルホン酸塩から選ばれる一種以上のアニオン界面活性剤である、前記＜１＞〜＜１０＞の何れかに記載の硬質表面用液体洗浄剤組成物。
【０１１９】
＜１２＞
（ｂ）成分が、炭素数が８以上、好ましくは１０以上、そして２１以下、好ましくは１８以下、より好ましくは１４以下、さらに好ましくは１２以下の直鎖又は分岐鎖のアルキル基を有するアルキル硫酸エステル塩、炭素数が８以上、好ましくは１０以上、そして２１以下、好ましくは１８以下、より好ましくは１４以下、さらに好ましくは１２以下の直鎖又は分岐鎖のアルキル基を有し、炭素数２以上３以下のオキシアルキレン基の平均付加モル数が好ましくは０．１以上、より好ましくは０．３以上、さらに好ましくは０．４以上、そして、好ましくは６以下、より好ましくは３以下、さらに好ましくは１．５以下であるポリオキシアルキレン基を有するポリオキシアルキレンアルキルエーテル硫酸エステル塩、及び、好ましくは炭素数６以上１５以下のアルキル基を有するアルキルベンゼンスルホン酸塩、及び炭素数８以上、好ましくは１０以上、そして２１以下、好ましくは１８以下、より好ましくは１４以下、さらに好ましくは１２以下のアルカンスルホン酸塩から選ばれる１種以上のアニオン界面活性剤である、前記＜１＞〜＜１１＞の何れかに記載の硬質表面用液体洗浄剤組成物。
【０１２０】
＜１３＞
（ｂ）成分が、下記一般式（ｂ１）の化合物である、前記＜１＞〜＜１２＞の何れかに記載の硬質表面用液体洗浄剤組成物。
Ｒ1b−Ｏ−（Ｒ2bＯ）n−ＳＯ3Ｍ2        （ｂ１）
〔式中、Ｒ1bは、炭素数８以上２１以下の直鎖又は分岐鎖のアルキル基であり、Ｒ2bは、エチレン基及び／又はプロピレン基であり、ｎは平均付加モル数であり０以上６以下の数である。Ｍ2は水素原子又は陽イオン、好ましくは無機又は有機の陽イオンである。〕
【０１２１】
＜１４＞
一般式（ｂ１）中、Ｒ1bが、好ましくは炭素数８以上、より好ましくは１０以上、好ましくは１８以下、より好ましくは１４以下、さらに好ましくは１２以下の直鎖又は分岐鎖のアルキル基である、好ましくは直鎖アルキル基である、前記＜１３＞に記載の硬質表面用液体洗浄剤組成物。
【０１２２】
＜１５＞
一般式（ｂ１）中、Ｒ1bが、オクチル基、デシル基、ドデシル基、トリデシル基、及びテトラデシル基から選ばれるアルキル基である、好ましくはドデシル基である、前記＜１３＞又は＜１４＞に記載の硬質表面用液体洗浄剤組成物。
【０１２３】
＜１６＞
一般式（ｂ１）中、ｎが、好ましくは０．１以上、より好ましくは０．３以上、さらに好ましくは０．４以上、そして、好ましくは６以下、より好ましくは３以下、さらに好ましくは１．５以下の数である、前記＜１３＞〜＜１５＞の何れかに記載の硬質表面用液体洗浄剤組成物。
【０１２４】
＜１７＞
一般式（ｂ１）中、Ｍ2が、水素原子、無機陽イオン又は有機陽イオンである、好ましくは水素原子、ナトリウムイオン、アンモニウムイオン、カリウムイオン、及びマグネシウムイオンから選ばれる無機陽イオン、又はモノエタノールアンモニウムイオン、ジエタノールアンモニウムイオン、トリエタノールアンモニウムイオン、モルホリンから選ばれる有機陽イオンである、より好ましくはナトリウムイオン、カリウムイオン、アンモニウムイオン、及びマグネシウムイオンから選ばれる無機陽イオンである、前記＜１３＞〜＜１６＞の何れかに記載の硬質表面用液体洗浄剤組成物。
【０１２５】
＜１８＞
（ｂ）成分を、０質量％以上、そして、３質量％未満、好ましくは２．５質量％以下、より好ましくは２質量％以下、さらに好ましくは１．５質量％以下、さらに好ましくは１質量％以下、さらに好ましくは１質量％未満、さらに好ましくは０．５質量％以下、さらに好ましくは０．５質量％未満、さらに好ましくは０．１質量％以下、さらに好ましくは０．１質量％未満含有する、又は０質量％含有する、前記＜１＞〜＜１７＞の何れかに記載の硬質表面用液体洗浄剤組成物。
【０１２６】
＜１９＞
（ｂ）成分を、好ましくは０．１質量％以上、より好ましくは０．３質量％以上、さらに好ましくは０．５質量％以上、よりさらに好ましくは１質量％以上含有する、前記＜１＞〜＜１８＞の何れかに記載の硬質表面用液体洗浄剤組成物。
【０１２７】
＜２０＞
スルホベタインが、アルキル基の炭素数が好ましくは１０以上、好ましくは１８以下、より好ましくは１４以下のＮ−アルキル−Ｎ，Ｎ−ジメチル−Ｎ−スルホプロピルアンモニウムスルホベタイン；アルキル基の炭素数が好ましくは１０以上、好ましくは１８以下、より好ましくは１４以下のＮ−アルキル−Ｎ，Ｎ−ジメチル−Ｎ−（２−ヒドロキシスルホプロピル）アンモニウムスルホベタイン；アルカノイル基の炭素数が好ましくは１０以上、好ましくは１８以下、より好ましくは１４以下のＮ−アルカノイルアミノプロピル−Ｎ，Ｎ−ジメチル−Ｎ−スルホプロピルアンモニウムスルホベタイン；アルカノイル基の炭素数が好ましくは１０以上、好ましくは１８以下、より好ましくは１４以下のＮ−アルカノイルアミノプロピル−Ｎ，Ｎ−ジメチル−Ｎ−（２−ヒドロキシスルホプロピル）アンモニウムスルホベタインから選ばれるスルホベタインである、前記＜１＞〜＜１９＞の何れかに記載の硬質表面用液体洗浄剤組成物。
【０１２８】
＜２１＞
カルボベタインが、アルキル基の炭素数が好ましくは１０以上、好ましくは１８以下、より好ましくは１４以下のＮ−アルキル−Ｎ，Ｎ−ジメチル−Ｎ−カルボキシメチルアンモニウムベタイン、及び下記一般式（ｃ１）で表される化合物から選ばれるカルボベタインである、前記＜１＞〜＜２０＞の何れかに記載の硬質表面用液体洗浄剤組成物。
【０１２９】
【化７】
0006771952.tif 000008
【０１３０】
（式中、Ｒ1cは炭素数７以上２１以下のアルキル基又はアルケニル基を示し、Ｒ2cはプロピレン基を示し、Ｒ3cおよびＲ4cは、それぞれ独立に、炭素数１以上３以下のアルキル基を示す。）
【０１３１】
＜２２＞
一般式（ｃ１）中、Ｒ1cが、好ましくは９以上、より好ましくは１１以上、そして、好ましくは１５以下、より好ましくは１３以下のアルキル基又はアルケニル基である、さらに、ノニル基、デシル基、ウンデシル基、ドデシル基、トリデシル基である、前記＜２１＞に記載の硬質表面用液体洗浄剤組成物。
【０１３２】
＜２３＞
一般式（ｃ１）中、Ｒc3およびＲc4が、それぞれ独立に、好ましくはメチル基である、前記＜２１＞又は＜２２＞に記載の硬質表面用液体洗浄剤組成物。
【０１３３】
＜２４＞
（ｃ）成分が、好ましくはスルホベタインである、前記＜１＞〜＜２０＞の何れかに記載の硬質表面用液体洗浄剤組成物。
【０１３４】
＜２５＞
（ｃ）成分を、好ましくは０．１質量％以上、より好ましくは０．３質量％以上、さらに好ましくは０．５質量％以上、よりさらに好ましくは１質量％以上、よりさらに好ましくは１．５質量％以上、そして、好ましくは３０質量％以下、より好ましくは２０質量％以下、さらに好ましくは１５質量％以下、よりさらに好ましくは１０質量％以下、よりさらに好ましくは８質量％以下、よりさらに好ましくは５質量％以下、よりさらに好ましくは３質量％以下、含有する、前記＜１＞〜＜２４＞の何れかに記載の硬質表面用液体洗浄剤組成物。
【０１３５】
＜２６＞
（ａ）成分、（ｂ）成分及び（ｃ）成分の合計含有量が、好ましくは０．６質量％以上、より好ましくは１質量％以上、さらに好ましくは２質量％以上、さらに好ましくは２質量％を超え、さらに好ましくは２．５質量％以上、さらに好ましくは３質量％以上、よりさらに好ましくは４質量％以上、そして、好ましくは４０質量％以下、より好ましくは３５質量％以下、さらに好ましくは３０質量％以下、さらに好ましくは２５質量％以下、さらに好ましくは２０質量％以下、さらに好ましくは１８質量％以下、さらに好ましくは１５質量％以下、よりさらに好ましくは１０質量％以下であり、好ましくは（ａ）成分、（ｂ）成分及び（ｃ）成分の合計含有量から、０．１質量％、０．６４質量％、２質量％及び／又は２０質量％を除くことができる、前記＜１＞〜＜２５＞の何れかに記載の硬質表面用液体洗浄剤組成物。
【０１３６】
＜２７＞
全界面活性剤中の、（ａ）成分、（ｂ）成分及び（ｃ）成分の合計含有量の割合が、好ましくは５０質量％以上、より好ましくは６０質量％以上、さらに好ましくは７０質量％以上、よりさらに好ましくは８０質量％以上、よりさらに好ましくは９０質量％以上、そして、好ましくは１００質量％以下である、前記＜１＞〜＜２６＞の何れかに記載の硬質表面用液体洗浄剤組成物。
【０１３７】
＜２８＞
（ａ）成分／［（ａ）成分＋（ｂ）成分＋（ｃ）成分］の質量比が、好ましくは０．１以上、より好ましくは０．２以上、さらに好ましくは０．３以上、さらに好ましくは０．３５以上、さらに好ましくは０．４以上、そして、好ましくは０．９以下、より好ましくは０．８５以下、さらに好ましくは０．８以下、さらに好ましくは０．７５以下、さらに好ましくは０．７以下、さらに好ましくは０．６５以下である、前記＜１＞〜＜２７＞の何れかに記載の硬質表面用液体洗浄剤組成物。
【０１３８】
＜２９＞
（ｂ）成分／［（ａ）成分＋（ｂ）成分＋（ｃ）成分］の質量比が、０．３以下、好ましくは０．３未満、好ましくは０．２６以下、より好ましくは０．２以下、さらに好ましくは０．２未満、さらに好ましくは０．１５以下、さらに好ましくは０．１５未満、よりさらに好ましくは０．１以下である、又は０である、前記＜１＞〜＜２８＞の何れかに記載の硬質表面用液体洗浄剤組成物。
【０１３９】
＜３０＞
（ｂ）成分／［（ａ）成分＋（ｂ）成分＋（ｃ）成分］の質量比が、０以上、好ましくは０．０３以上、より好ましくは０．０５以上、さらに好ましくは０．０７以上、さらに好ましくは０．１以上、さらに好ましくは０．１５以上、さらに好ましくは０．２以上である、又は０である、前記＜１＞〜＜２９＞の何れかに記載の硬質表面用液体洗浄剤組成物。
【０１４０】
＜３１＞
（ｃ）成分／［（ａ）成分＋（ｂ）成分＋（ｃ）成分］の質量比が、好ましくは０．１以上、より好ましくは０．２以上、さらに好ましくは０．３以上、さらに好ましくは０．３５以上、さらに好ましくは０．４以上、そして、好ましくは０．９以下、より好ましくは０．８５以下、さらに好ましくは０．８以下、さらに好ましくは０．７５以下、さらに好ましくは０．７以下、さらに好ましくは０．６５以下である、前記＜１＞〜＜３０＞の何れかに記載の硬質表面用液体洗浄剤組成物。
【０１４１】
＜３２＞
（ａ）成分／（ｃ）成分の質量比が、好ましくは０．１以上、より好ましくは０．２以上、さらに好ましくは０．３以上、さらに好ましくは０．４以上、さらに好ましくは０．５以上、さらに好ましくは０．６以上、そして、好ましくは１０以下、より好ましくは８以下、さらに好ましくは７以下、さらに好ましくは６以下、さらに好ましくは５以下、さらに好ましくは４以下、さらに好ましくは３以下、よりさらに好ましくは２以下、さらに好ましくは１以下、さらに好ましくは０．８以下である、前記＜１＞〜＜３１＞の何れかに記載の硬質表面用液体洗浄剤組成物。
【０１４２】
＜３３＞
（ｄ）成分として、アルキルグリセリルエーテルを含有する、前記＜１＞〜＜３２＞の何れかに記載の硬質表面用液体洗浄剤組成物。
【０１４３】
＜３４＞
（ｄ）成分が、好ましくはアルキル基の炭素数が６以上１８以下のアルキルモノグリセリルエーテル、より好ましくは下記一般式（ｄ１）の化合物である、前記＜３３＞に記載の硬質表面用液体洗浄剤組成物。
Ｒ1d−Ｏ−（Ｇｌｙ）r−Ｈ        （ｄ１）
〔式中、Ｒ1dは炭素数６以上１８以下のアルキル基を示し、Ｇｌｙはグリセリンから１つの水酸基と１つの水素原子とを除いた残基を示し、ｒは１以上４以下の数を示す。〕
【０１４４】
＜３５＞
一般式（ｄ１）中、Ｒ1dが、好ましくは炭素数６以上、より好ましくは炭素数８以上、そして、好ましくは炭素数１８以下、より好ましくは炭素数１２以下の、アルキル基である、前記＜３４＞に記載の硬質表面用液体洗浄剤組成物。
【０１４５】
＜３６＞
一般式（ｄ１）中、Ｒ1dが、好ましくはオクチル基、２−エチルヘキシル基、デシル基、及びドデシル基から選ばれるアルキル基である、前記＜３４＞又は＜３５＞に記載の硬質表面用液体洗浄剤組成物。
【０１４６】
＜３７＞
一般式（ｄ１）中、ｒが、好ましくは１である、前記＜３４＞〜＜３６＞の何れかに記載の硬質表面用液体洗浄剤組成物。
【０１４７】
＜３８＞
（ｄ）成分を、好ましくは０．１質量％以上、より好ましくは０．２質量％以上、さらに好ましくは０．５質量％以上、そして、好ましくは６質量％以下、より好ましくは４質量％以下、さらに好ましくは２質量％以下、含有する、前記＜３３＞〜＜３７＞の何れかに記載の硬質表面用液体洗浄剤組成物。
【０１４８】
＜３９＞
（ｅ）成分として、溶剤、好ましくは水溶性有機溶剤を含有する、前記＜１＞〜＜３８＞の何れかに記載の硬質表面用液体洗浄剤組成物。
【０１４９】
＜４０＞
（ｅ）成分が、好ましくは炭素数２以上、より好ましくは炭素数３以上、好ましくは炭素数１０以下、より好ましくは炭素数８以下の水溶性有機溶剤である、前記＜３９＞に記載の硬質表面用液体洗浄剤組成物。
【０１５０】
＜４１＞
（ｅ）成分が、好ましくはエタノール、イソプロピルアルコール、エチレングリコール、プロピレングリコール、ジエチレングリコール、ジプロピレングリコール、グリセリン、イソプレングリコール、プロピレングリコールモノメチルエーテル、プロピレングリコールモノエチルエーテル、３−メチル−３−メトキシブタノール、フェノキシエタノール、フェニルグリコール、フェノキシイソプロパノール、ブチルジグリコール（ジエチレングリコールモノブチルエーテル）、ジブチレンジグリコール、及びベンジルアルコールから選ばれる１種以上、より好ましくはブチルジグリコール、エタノール、及びプロピレングリコールから選ばれる１種以上、さらに好ましくはブチルジグリコール、エタノール、及びプロピレングリコールから選ばれる１種以上の水溶性有機溶剤である、前記＜３９＞又は＜４４＞の何れかに記載の硬質表面用液体洗浄剤組成物。
【０１５１】
＜４２＞
（ｅ）成分を、好ましくは０．５質量％以上、より好ましくは２質量％以上、さらに好ましくは４質量％以上、そして、好ましくは３０質量％以下、より好ましくは２０質量％以下、さらに好ましくは１０質量％以下、含有する、前記＜３９＞〜＜４１＞の何れかに記載の硬質表面用液体洗浄剤組成物。
【０１５２】
＜４３＞
（ｅ）成分／［（ａ）成分＋（ｃ）成分］の質量比が、好ましくは０．５以上、より好ましくは１以上、さらに好ましくは１．２以上、よりさらに好ましくは１．５以上、そして、好ましくは５以下、より好ましくは４以下、さらに好ましくは３以下、よりさらに好ましくは２以下である、前記＜３９＞〜＜４２＞の何れかに記載の硬質表面用液体洗浄剤組成物。
【０１５３】
＜４４＞
（ｅ）成分の含有量と、（ａ）成分、（ｂ）成分及び（ｃ）成分の合計含有量との質量比である、（ｅ）成分／［（ａ）成分＋（ｂ）成分＋（ｃ）成分］の質量比が、好ましくは０．５以上、より好ましくは１以上、さらに好ましくは１．２以上、よりさらに好ましくは１．５以上、そして、好ましくは５以下、より好ましくは４以下、さらに好ましくは３以下、よりさらに好ましくは２以下である、前記＜３９＞〜＜４３＞の何れかに記載の硬質表面用液体洗浄剤組成物。
【０１５４】
＜４５＞
（ｆ）成分として、ハイドロトロープ剤を含有する、前記＜１＞〜＜４４＞の何れかに記載の硬質表面用液体洗浄剤組成物。
【０１５５】
＜４６＞
（ｆ）成分が、好ましくはトルエンスルホン酸、キシレンスルホン酸、若しくはクメンスルホン酸、又はこれらのナトリウム塩、カリウム塩、若しくはマグネシウム塩である、より好ましくはｐ−トルエンスルホン酸又はその塩である、前記＜４５＞に記載の硬質表面用液体洗浄剤組成物。
【０１５６】
＜４７＞
（ｆ）成分を、好ましくは０．５質量％以上、より好ましくは１質量％以上、さらに好ましくは１．５質量％以上、そして好ましくは１５質量％以下、より好ましくは１０質量％以下、さらに好ましくは５質量％以下、含有する、前記＜４５＞又は＜４６＞に記載の硬質表面用液体洗浄剤組成物。
【０１５７】
＜４８＞
（ｇ）成分として、キレート剤を含有する、前記＜１＞〜＜４７＞の何れかに記載の硬質表面用液体洗浄剤組成物。
【０１５８】
＜４９＞
（ｇ）成分が、クエン酸、エチレンジアミン４酢酸塩、メチルグリシン２酢酸、及びＬ−グルタミン酸二酢酸・四ナトリウムから選ばれるキレート剤である、前記＜４８＞に記載の硬質表面用液体洗浄剤組成物。
【０１５９】
＜５０＞
（ｇ）成分を、好ましくは０．１質量％以上、より好ましくは１．０質量％以上、さらに好ましくは２．０質量％以上、そして、好ましくは２０質量％以下、より好ましくは１０質量％以下、さらに好ましくは６質量％以下、含有する、前記＜４８＞又は＜４９＞に記載の硬質表面用液体洗浄剤組成物。
【０１６０】
＜５１＞
（ｈ）成分として、炭素数８以上２２以下の脂肪酸又はその塩を含有する、前記＜１＞〜＜５０＞の何れかに記載の硬質表面用液体洗浄剤組成物。
【０１６１】
＜５２＞
（ｈ）成分が、炭素数８以上、より好ましくは１０以上、そして、好ましくは炭素数２２以下、より好ましくは１８以下、さらに好ましくは１４以下の脂肪酸又はその塩である、前記＜５１＞に記載の硬質表面用液体洗浄剤組成物。
【０１６２】
＜５３＞
（ｈ）成分が、デカン酸、ラウリン酸、ミリスチン酸、パルミチン酸又はこれらの塩から選ばれる一種以上である、より好ましくはデカン酸、ラウリン酸、ミリスチン酸又はこれらの塩から選ばれる一種以上である、よりさらに好ましくはデカン酸、ラウリン酸又はその塩から選ばれる一種以上である、前記＜５１＞又は＜５２＞に記載の硬質表面用液体洗浄剤組成物。
【０１６３】
＜５４＞
（ｈ）成分を、好ましくは０質量％以上、そして、好ましくは３質量％以下、より好ましくは３質量％未満、さらに好ましくは２．５質量％以下、さらに好ましくは２質量％以下、さらに好ましくは１．５質量％以下、さらに好ましくは１質量％以下、さらに好ましくは１質量％未満、さらに好ましくは０．５質量％以下、さらに好ましくは０．５質量％未満、さらに好ましくは０．１質量％以下、さらに好ましくは０．１質量％未満含有する、又は０質量％含有する、前記＜５１＞〜＜５３＞の何れかに記載の硬質表面用液体洗浄剤組成物。
【０１６４】
＜５５＞
（ｂ）成分と（ｈ）成分とを合計で、好ましくは０質量％以上、そして、好ましくは３質量％未満、より好ましくは２．５質量％以下、さらに好ましくは２質量％以下、さらに好ましくは１．５質量％以下、さらに好ましくは１質量％以下、さらに好ましくは１質量％未満、さらに好ましくは０．５質量％以下、さらに好ましくは０．５質量％未満、さらに好ましくは０．１質量％以下、さらに好ましくは０．１質量％未満含有する、又は０質量％含有する、前記＜５１＞〜＜５４＞の何れかに記載の硬質表面用液体洗浄剤組成物。
【０１６５】
＜５６＞
（ａ）成分、（ｂ）成分、（ｃ）成分及び（ｈ）成分の合計含有量が、好ましくは０．６質量％以上、より好ましくは１質量％以上、さらに好ましくは２質量％以上、さらに好ましくは３質量％以上、よりさらに好ましくは４質量％以上、そして、好ましくは４０質量％以下、より好ましくは３５質量％以下、さらに好ましくは３０質量％以下、さらに好ましくは２５質量％以下、さらに好ましくは２０質量％以下、さらに好ましくは１５質量％以下、よりさらに好ましくは１０質量％以下である、前記＜５１＞〜＜５５＞の何れかに記載の硬質表面用液体洗浄剤組成物。
【０１６６】
＜５７＞
全界面活性剤中の、（ａ）成分、（ｂ）成分、（ｃ）成分及び（ｈ）成分の合計含有量の割合が、好ましくは５０質量％以上、より好ましくは６０質量％以上、さらに好ましくは７０質量％以上、よりさらに好ましくは８０質量％以上、よりさらに好ましくは９０質量％以上、そして、好ましくは１００質量％以下である、前記＜５１＞〜＜５６＞の何れかに記載の硬質表面用液体洗浄剤組成物。
【０１６７】
＜５８＞
（ａ）成分／［（ａ）成分＋（ｂ）成分＋（ｃ）成分＋（ｈ）成分］の質量比が、好ましくは０．１以上、より好ましくは０．２以上、さらに好ましくは０．３以上、さらに好ましくは０．３５以上、さらに好ましくは０．４以上、そして、好ましくは０．９以下、より好ましくは０．８５以下、さらに好ましくは０．８以下、さらに好ましくは０．７５以下、さらに好ましくは０．７以下、さらに好ましくは０．６５以下である、前記＜５１＞〜＜５７＞の何れかに記載の硬質表面用液体洗浄剤組成物。
【０１６８】
＜５９＞
［（ｂ）成分＋（ｈ）成分］／［（ａ）成分＋（ｂ）成分＋（ｃ）成分＋（ｈ）成分］の質量比が、好ましくは０．３以下、好ましくは０．３未満、好ましくは０．２６以下、より好ましくは０．２以下、さらに好ましくは０．２未満、さらに好ましくは０．１５以下、さらに好ましくは０．１５未満、よりさらに好ましくは０．１以下、そして、好ましくは０以上、好ましくは０．０３以上、より好ましくは０．０５以上、さらに好ましくは０．０７以上、さらに好ましくは０．１以上、さらに好ましくは０．１５以上、さらに好ましくは０．２以上である、又は０である、前記＜５１＞〜＜５８＞の何れかに記載の硬質表面用液体洗浄剤組成物。
【０１６９】
＜６０＞
（ｃ）成分／［（ａ）成分＋（ｂ）成分＋（ｃ）成分＋（ｈ）成分］の質量比が、好ましくは０．１以上、より好ましくは０．２以上、さらに好ましくは０．３以上、さらに好ましくは０．３５以上、さらに好ましくは０．４以上、そして、好ましくは０．９以下、より好ましくは０．８５以下、さらに好ましくは０．８以下、さらに好ましくは０．７５以下、さらに好ましくは０．７以下、さらに好ましくは０．６５以下である、前記＜５１＞〜＜５９＞の何れかに記載の硬質表面用液体洗浄剤組成物。
【０１７０】
＜６１＞
固形分の合計含有量が、好ましくは０．６質量％以上、より好ましくは１質量％以上、さらに好ましくは２質量％以上、さらに好ましくは３質量％以上、よりさらに好ましくは４質量％以上、そして、好ましくは６０質量％以下、より好ましくは５０質量％以下、さらに好ましくは４５質量％以下、さらに好ましくは４０質量％以下、さらに好ましくは３５質量％以下、さらに好ましくは３０質量％以下、よりさらに好ましくは２８質量％以下である、前記＜１＞〜＜６０＞の何れかに記載の硬質表面用液体洗浄剤組成物。
【０１７１】
＜６２＞
水を含有する、前記＜１＞〜＜６１＞の何れかに記載の硬質表面用液体洗浄剤組成物。
【０１７２】
＜６３＞
水を、好ましくは３０質量％以上、より好ましくは５０質量％以上、より好ましくは６０質量％以上、さらに好ましくは７０質量％以上、そして、好ましくは９８質量％以下、より好ましくは９５質量％以下、より好ましくは９０質量％以下含有する、前記＜１＞〜＜６２＞の何れかに記載の硬質表面用液体洗浄剤組成物。
【０１７３】
＜６４＞
２５℃におけるｐＨが、好ましくは２以上、より好ましくは４以上、より好ましくは５以上、そして、好ましくは１０以下、より好ましくは９以下、さらに好ましくは８以下である、前記＜１＞〜＜６３＞の何れかに記載の硬質表面用液体洗浄剤組成物。
【０１７４】
＜６５＞
２０℃における粘度が、好ましくは０．５ｍＰａ・ｓ以上、より好ましくは１ｍＰａ・ｓ以上、そして、好ましくは５０ｍＰａ・ｓ以下、より好ましくは２０ｍＰａ・ｓ以下、さらに好ましくは１０ｍＰａ・ｓ以下、よりさらに好ましくは７ｍＰａ・ｓ以下、よりさらに好ましくは５ｍＰａ・ｓ以下である、前記＜１＞〜＜６４＞の何れかに記載の硬質表面用液体洗浄剤組成物。
【０１７５】
＜６６＞
硬質物品の硬質表面用、さらに食器及び台所周りの硬質物品から選ばれる硬質物品の硬質表面用、さらに食器の硬質表面用、さらに硬質物品の硬質表面の手洗い洗浄用、さらに食器及び台所周りの硬質物品から選ばれる硬質物品の硬質表面の手洗い洗浄用、さらに食器の硬質表面の手洗い洗浄用である、前記＜１＞〜＜６５＞の何れかに記載の硬質表面用液体洗浄剤組成物。
【０１７６】
＜６７＞
硬質物品の硬質表面への塗布用洗浄剤、好ましくは食器及び台所周りの硬質物品から選ばれる硬質物品の硬質表面への塗布用洗浄剤、より好ましくは食器の硬質表面への塗布用洗浄剤である、又は硬質物品の硬質表面への噴霧用洗浄剤、好ましくは食器及び台所周りの硬質物品から選ばれる硬質物品の硬質表面への噴霧用洗浄剤、より好ましくは食器の硬質表面への噴霧用洗浄剤である、前記＜１＞〜＜６６＞の何れかに記載の硬質表面用液体洗浄剤組成物。
【０１７７】
＜６８＞
希釈せずに直接硬質表面、好ましくは食器及び台所周りの硬質物品から選ばれる硬質物品の硬質表面、より好ましくは食器の硬質表面に接触させて用いる、前記＜１＞〜＜６７＞の何れかに記載の硬質表面用液体洗浄剤組成物。
【０１７８】
＜６９＞
硬質物品、好ましくはパイプ、部品等の食品製造機器、食器及び台所周りの硬質物品から選ばれる硬質物品、より好ましくは食器及び台所周りの硬質物品から選ばれる硬質物品、さらに好ましくは食器を洗浄対象とする、又は、
冷蔵庫、食器棚などの食品、食器、調理器具の保存場所、排水溝、調理台、レンジフード、シンク、ガスレンジ、電子レンジなどの食品の調理場所、及びその周辺の床や壁を洗浄対象とする、又は、
食器、好ましくは皿、椀等のいわゆる食器、タッパー、瓶等の保存容器、包丁やまな板、鍋、フライパン、魚焼きグリル等の調理器具、及びフードプロセッサー、ミキサー等の調理家電を洗浄対象とする、又は
食器、保存容器、調理器具、及び調理家電から選ばれる物品用である、さらに皿、椀、タッパー、ビン、包丁、まな板、鍋、フライパン、魚焼きグリル、フードプロセッサー、及びミキサーから選ばれる物品用である、
前記＜１＞〜＜６８＞の何れかに記載の硬質表面用液体洗浄剤組成物。
【０１７９】
＜７０＞
硬質物品の材質が、プラスチック、金属、陶器、木、及びそれらの組み合わせである、前記＜１＞〜＜６９＞の何れかに記載の硬質表面用液体洗浄剤組成物。
【０１８０】
前記＜１＞〜＜７０＞の硬質表面用液体洗浄剤組成物では、（ａ）成分、（ｂ）成分及び（ｃ）成分の合計含有量から、０．１質量％、０．６４質量％、及び２質量％を除くことができる。
【０１８１】
＜７１＞
前記＜１＞〜＜７０＞の何れか記載の硬質表面用液体洗浄剤組成物を、硬質表面、好ましくは油汚れが付着した硬質表面、より好ましくは固体脂を含む油汚れが付着した硬質表面に接触させる、硬質表面の洗浄方法。
【０１８２】
＜７２＞
前記＜１＞〜＜７０＞何れか記載の前記硬質表面用液体洗浄剤組成物における、（ｂ）成分／［（ａ）成分＋（ｂ）成分＋（ｃ）成分］の質量比が、好ましくは０．１５以上、より好ましくは０．２以上、そして０．３以下である、前記＜７１＞に記載の硬質表面の洗浄方法。
【０１８３】
＜７３＞
前記＜１＞〜＜７０＞何れか記載の前記硬質表面用液体洗浄剤組成物における、（ｂ）成分／［（ａ）成分＋（ｂ）成分＋（ｃ）成分］の質量比が、好ましくは０．２未満、そして好ましくは０以上である、前記＜７１＞に記載の硬質表面の洗浄方法。
【０１８４】
＜７４＞
前記＜１＞〜＜７０＞何れか記載の前記硬質表面用液体洗浄剤組成物を、原液で、硬質表面に接触させる、前記＜７１＞〜＜７３＞の何れかに記載の硬質表面の洗浄方法。
【０１８５】
＜７５＞
前記＜１＞〜＜７０＞何れか記載の前記硬質表面用液体洗浄剤組成物を、希釈せずに硬質表面に接触させる、前記＜７１＞〜＜７４＞の何れかに記載の硬質表面の洗浄方法。
【０１８６】
＜７６＞
前記＜１＞〜＜７０＞何れか記載の前記硬質表面用液体洗浄剤組成物を、希釈せずに、固体脂を含む油汚れが付着した硬質表面に接触させる、前記＜７１＞〜＜７５＞の何れかに記載の硬質表面の洗浄方法。
【０１８７】
＜７７＞
前記＜１＞〜＜７０＞何れか記載の前記硬質表面用液体洗浄剤組成物を、硬質表面に接触させた後、機械力をかけずに放置する、前記＜７１＞〜＜７６＞の何れかに記載の硬質表面の洗浄方法。
【０１８８】
＜７８＞
前記＜１＞〜＜７０＞何れか記載の前記硬質表面用液体洗浄剤組成物を、硬質表面の面積１００ｃｍ２に対して、好ましくは０．１ｇ以上、より好ましくは０．３ｇ以上、さらに好ましくは０．４ｇ以上、そして、好ましくは５ｇ以下、より好ましくは３ｇ以下、さらに好ましくは２ｇ以下の割合で接触させる、好ましくは塗布又は噴霧して接触させる、前記＜７１＞〜＜７７＞の何れかに記載の硬質表面の洗浄方法。
【０１８９】
＜７９＞
前記＜１＞〜＜７０＞何れか記載の前記硬質表面用液体洗浄剤組成物を、硬質表面に接触させた後、好ましくは１０秒以上、より好ましくは２０秒以上、さらに好ましくは３０秒以上、さらに好ましくは４０秒以上、そして好ましくは６０分以下、より好ましくは３０分以下、さらに好ましくは２０分以下、よりさらに好ましくは１０分以下、放置する、前記＜７１＞〜＜７８＞の何れかに記載の硬質表面の洗浄方法。
【０１９０】
＜８０＞
前記＜１＞〜＜７０＞何れか記載の前記硬質表面用液体洗浄剤組成物を硬質表面に接触させた後、好ましくは１０秒以上、より好ましくは２０秒以上、さらに好ましくは３０秒以上、さらに好ましくは４０秒以上、そして好ましくは６０分以下、より好ましくは３０分以下、さらに好ましくは２０分以下、よりさらに好ましくは１０分以下、よりさらに好ましくは５分以下、機械力をかけずに放置する、前記＜７１＞〜＜７９＞の何れかに記載の硬質表面の洗浄方法。
【０１９１】
＜８１＞
前記＜１＞〜＜７０＞何れか記載の前記硬質表面用液体洗浄剤組成物を、好ましくは１０秒以上、より好ましくは２０秒以上、さらに好ましくは３０秒以上、さらに好ましくは４０秒以上、そして、好ましくは６０分以下、より好ましくは３０分以下、さらに好ましくは２０分以下、よりさらに好ましくは１０分以下、より好ましくは５分以下、硬質表面に接触させる、前記＜７１＞〜＜８０＞の何れかに記載の硬質表面の洗浄方法。
【０１９２】
＜８２＞
前記＜１＞〜＜７０＞何れか記載の前記硬質表面用液体洗浄剤組成物中に硬質表面を浸漬させて、前記硬質表面用液体洗浄剤組成物を硬質表面に接触させる、前記＜７１＞〜＜８１＞の何れかに記載の硬質表面の洗浄方法。
【０１９３】
＜８３＞
前記＜１＞〜＜７０＞何れか記載の前記硬質表面用液体洗浄剤組成物を、噴霧又は塗布して硬質表面に接触させる、前記＜７１＞〜＜８２＞の何れかに記載の硬質表面の洗浄方法。
【０１９４】
＜８４＞
前記＜１＞〜＜７０＞何れか記載の前記硬質表面用液体洗浄剤組成物を、液滴状にして噴霧して、又は泡状にして塗布して、硬質表面に接触させる、前記＜７１＞〜＜８３＞の何れかに記載の硬質表面の洗浄方法。
【０１９５】
＜８５＞
前記＜１＞〜＜７０＞何れか記載の前記硬質表面用液体洗浄剤組成物を、スプレイヤーを具備する容器に充填してなる硬質表面用洗浄剤物品を用いて、前記硬質表面用液体洗浄剤組成物を硬質表面に接触させる、前記＜７１＞〜＜８４＞の何れかに記載の硬質表面の洗浄方法。
【０１９６】
＜８６＞
前記硬質表面が、硬質物品の硬質表面、好ましくは食器又は台所周りの硬質物品の硬質表面、より好ましくは食器の硬質表面である、又は、
前記硬質表面が、パイプ、部品等の食品製造機器、食器又は台所周りの硬質物品の硬質表面である、好ましくは食器又は台所周りの硬質物品の硬質表面である、より好ましくは冷蔵庫、食器棚などの食品、食器、調理器具の保存場所、排水溝、調理台、レンジフード、シンク、ガスレンジ、電子レンジなどの食品の調理場所、及びその周辺の床や壁から選ばれる硬質物品の硬質表面である、又は、
前記硬質表面が、食器の硬質表面、好ましくは皿、椀等のいわゆる食器、タッパー、瓶等の保存容器、包丁やまな板、鍋、フライパン、魚焼きグリル等の調理器具、及びフードプロセッサー、ミキサー等の調理家電から選ばれる食器の硬質表面である、又は
前記硬質表面が、食器、保存容器、調理器具、及び調理家電から選ばれる物品の硬質表面である、さらに皿、椀、タッパー、ビン、包丁、まな板、鍋、フライパン、魚焼きグリル、フードプロセッサー、及びミキサーから選ばれる物品の硬質表面である、
前記＜７１＞〜＜８５＞の何れかに記載の硬質表面の洗浄方法。
【０１９７】
＜８７＞
前記硬質表面の材質が、プラスチック、金属、陶器、木、及びそれらの組み合わせである、前記＜７１＞〜＜８６＞の何れかに記載の硬質表面の洗浄方法。
【０１９８】
＜８８＞
前記硬質表面用液体洗浄剤組成物が、油除去用硬質表面用液体洗浄剤組成物である、前記＜７１＞〜＜８７＞の何れかに記載の硬質表面の洗浄方法。
【０１９９】
＜８９＞
前記＜１＞〜＜７０＞の何れか記載の硬質表面用液体洗浄剤組成物を、スプレイヤーを具備する容器に充填してなる、スプレー容器入り硬質表面用洗浄剤物品。
【０２００】
＜９０＞
スプレイヤーを具備する容器が、噴射剤を使用しない手動式スプレー装置又は噴射剤を用いるエアゾールである、好ましくは、トリガー式スプレー容器及びポンプ式スプレー容器から選ばれる、噴射剤を使用しない手動式スプレー装置である、より好ましくは、内容物を液滴状又は泡状にして噴霧又は塗布することができるトリガー式スプレー、さらに好ましくは、内容物を液滴状に噴霧する機構を備えたトリガー式スプレー又は泡を形成する機構（泡形成機構）を備えたトリガー式スプレーである、前記＜８９＞に記載の硬質表面用洗浄剤物品。
【０２０１】
＜９１＞
前記＜１＞〜＜７０＞の何れか記載の組成物の、硬質表面用液体洗浄剤、好ましくは食器又は台所周りの硬質物品の硬質表面用液体洗浄剤、より好ましくは食器の硬質表面用液体洗浄剤としての使用。
【０２０２】
＜９２＞
前記＜１＞〜＜７０＞の何れか記載の組成物の、油除去用硬質表面用液体洗浄剤、好ましくは食器又は台所周りの硬質物品の油除去用硬質表面用液体洗浄剤、より好ましくは食器の油除去用硬質表面用液体洗浄剤としての使用。
【０２０３】
＜９３＞
前記＜１＞〜＜７０＞の何れか記載の組成物の、該組成物を希釈せずに硬質表面に接触させ機械力をかけずに洗浄する方法に用いられる硬質表面用液体洗浄剤、好ましくは食器又は台所周りの硬質物品の硬質表面用液体洗浄剤、より好ましくは食器の硬質表面用液体洗浄剤としての使用。
【０２０４】
＜９４＞
前記＜１＞〜＜７０＞の何れか記載の組成物の、該組成物を希釈せずに硬質表面、油汚れが付着した硬質表面、より好ましくは固体脂を含む油汚れが付着した硬質表面に接触させる硬質表面の洗浄方法における使用。
【実施例】
【０２０５】
下記配合成分を用いて、表１、２に示す硬質表面用液体洗浄剤組成物を調製し、以下の項目について評価を行った。表１、２の組成物は、油除去用硬質表面用液体洗浄剤組成物である。結果を表１、２に示す。表１、２の硬質表面用液体洗浄剤組成物は、常法により調製した。即ち、適量のイオン交換水に（ａ）成分〜（ｈ）成分を添加し、室温（２５℃）で溶解させた後、水酸化ナトリウム又は／及び塩酸を添加してｐＨ（２５℃）を６に調整した。なお、表１中の配合成分の質量％は、全て有効分に基づく数値である。（ｂ）成分はナトリウム塩、（ｈ）成分は酸型化合物としての量に基づく質量％を示している。また、（ｆ）成分は、結晶水を含んだ化合物としての量に基づく質量％を示している。
【０２０６】
＜配合成分＞
（ａ）成分
・スルホコハク酸ジ−２−エチルヘキシルナトリウム（製品名「エアロールＣＴ−１Ｌ」、東邦化学工業(株)製）一般式（ａ１）において、Ｒ1a、Ｒ2a：共に２−エチルヘキシル基、ｘ、ｙ：共に０、Ｍ1：ナトリウムの化合物
・スルホコハク酸ジ−トリデシルナトリウム（製品名「ペレックスＴＲ」、花王（株）製）一般式（ａ１）において、Ｒ1a、Ｒ2a：共にトリデシル基、ｘ、ｙ：共に０、Ｍ1：ナトリウムの化合物
（ｂ）成分
・ＰＯ０．６ラウリル硫酸エステルナトリウム、一般式（ｂ１）において、Ｒ1b：天然アルコール由来のアルキル基（オクチル基/デシル基/ドデシル基=５/５/９０質量比）、Ｒ2b：プロピレン基、ｎ：０．６、Ｍ2：ナトリウムの化合物
・ラウリル硫酸エステルナトリウム（製品名「エマール０」、花王（株）製）、一般式（ｂ１）において、Ｒ1b：ドデシル基、ｎ：０、Ｍ2：ナトリウムの化合物
・ＥＯ２ラウリル硫酸エステルナトリウム（製品名「エマール２７０Ｊ」、花王（株）製）、一般式（ｂ１）において、Ｒ1b：ドデシル基、Ｒ2b：エチレン基、ｎ：２、Ｍ2：ナトリウムの化合物
（ｃ）成分
・ラウリルヒドロキシスルホベタイン（製品名「アンヒトール２０ＨＤ」、花王（株）製）
・ラウラミドプロピルカルボベタイン（製品名「アンヒトール２０ＡＢ」、花王（株）製）
・ラウリルベタイン（製品名「アンヒトール２０ＢＳ」、花王（株）製）
【０２０７】
（ｄ）成分：２−エチルヘキシルグリセリルエーテル（製品名「ペネトールＧＥ−ＥＨ」、花王（株）製）
（ｅ）成分：ブチルジグリコール（製品名「ＢＤＧ−ＮＳ」、日本乳化剤（株）製）
（ｆ）成分：パラトルエンスルホン酸１水和物（製品名「ＰＴＳ  Ｍ−７０００」、明友産業(株)製）
（ｇ）成分：クエン酸（製品名「精製クエン酸（無水）」、扶桑化学工業（株）製）
（ｈ）成分：ラウリン酸（製品名「ルナックＬ−９８」、花王（株）製）
【０２０８】
（１）洗浄力（溶液浸漬評価）
牛脂と菜種油を９：１の質量比で混合したものを作製し、モデル汚れ（固体脂を含む油汚れのモデル汚れ、以下同様）とした。３０ｍｍ（横）×８０ｍｍ（縦）×１ｍｍ（厚み）のポリプロピレン試験片の質量を４桁天秤で測定した（ｘ）。前記ポリプロピレン試験片の両面に、下端から５０ｍｍの高さまでモデル汚れを、両面合わせて０．０２〜０．０３ｇとなるように均一に塗布したものを作成し、汚れピースとした。同汚れピースの質量を４桁天秤で測定した（ｙ）。
【０２０９】
硬質表面用液体洗浄剤組成物５０ｇを５０ｍＬ容器（内径３５ｍｍ×高さ６８ｍｍの円柱状）に入れ、次いで汚れピース１枚を同容器内に立て掛けて前記組成物に接触させた。この時、汚れピースの汚れを付着させた部分は、容器内の前記組成物中に全て浸漬した。
【０２１０】
汚れピースを前記容器内の硬質表面用液体洗浄剤組成物に浸漬した状態で表１に示す時間放置した後、前記汚れピースを取り出し、１分間水道水で流水すすぎをした。この時、流水すすぎの条件は、水道水の温度は２５℃、流速は約４Ｌ／ｍｉｎ、蛇口の開口部の直径は約１５ｍｍであった。開口部から５ｃｍ垂直下に位置する汚れピースに落下してくる水道水に対して汚れピースを４５°になるように持ち、その角度を固定したまま汚れピースの汚れを付着させていない上端部分で流水を受け、汚れピース上を流れる水道水で洗浄部分片面全体をすすいだ。このとき、１０秒毎に表裏を変えて交互にすすいだ。すすぎ終了後、汚れピースを乾燥させた後、４桁天秤で質量を測定した（ｚ）。以下の式で洗浄率を求めた。
洗浄率（％）＝｛（ｙ）−（ｚ）｝／｛（ｙ）−（ｘ）｝×１００
【０２１１】
（２）洗浄力（泡浸漬評価）
牛脂と菜種油を９：１の質量比で混合したものを作製し、モデル汚れとした。３０ｍｍ（横）×８０ｍｍ（縦）×１ｍｍ（厚み）のポリプロピレン試験片の質量を４桁天秤で測定した（ｘ）。前記ポリプロピレン試験片の両面に、下端から５ｃｍの高さまでモデル汚れを、両面合わせて０．０２〜０．０３ｇとなるように均一に塗布したものを作成し、汚れピースとした。同汚れピースの質量を４桁天秤で測定した（ｙ）。
【０２１２】
硬質表面用液体洗浄剤組成物をトリガー式スプレー容器（マジックリンハンディスプレー、花王（株）製）に充填し、５０ｍＬ容器（内径３５ｍｍ×高さ６８ｍｍの円柱状）内に、前記組成物を泡状に５回スプレーした。組成物の吐出量は合計で約５ｇであった。
【０２１３】
次いで汚れピース１枚を同容器内に立て掛け、前記容器内の泡状の硬質表面用液体洗浄剤組成物に、前記汚れピースを接触させた。この時、汚れピースの汚れを付着させた部分は、容器内の泡状の前記組成物中に全て浸漬した。汚れピースを泡中に浸漬した状態で表１に示す時間放置した後、汚れピースを取り出し、１分間水道水で流水すすぎを行った。この時、流水すすぎの条件は、水道水の温度は２５℃、流速は約４Ｌ／ｍｉｎ、蛇口の開口部の直径は約１５ｍｍであった。開口部から５ｃｍ垂直下に位置する汚れピースに落下してくる水道水に対して汚れピースを４５°になるように持ち、その角度を固定したまま汚れピースの汚れを付着させていない上端部分で流水を受け、汚れピース上を流れる水道水で洗浄部分片面全体をすすいだ。このとき、１０秒毎に表裏を変えて交互にすすいだ。すすぎ終了後、汚れピースを乾燥させた後、４桁天秤で質量を測定した（ｚ）。以下の式で洗浄率を求めた。
洗浄率（％）＝｛（ｙ）−（ｚ）｝／｛（ｙ）−（ｘ）｝×１００
【０２１４】
（３）泡比容
硬質表面用液体洗浄剤組成物を、トリガー式スプレー容器（マジックリンハンディスプレー、花王（株）製）に充填し、前記容器の広泡モードで２００ｍＬメスシリンダー（内径４０ｍｍ）内に１０回スプレーした。スプレー後の２００ｍＬメスシリンダー質量を、４桁天秤を用いて測定し、スプレー前のメスシリンダーの質量との差を、泡塗布量（ｇ）とした（ａ）。メスシリンダー内の泡の容量（ｍＬ）を目視で読み取った（ｂ）。以下の式で泡比容を算出した。
泡比容（ｍＬ／ｇ）＝（ｂ）／（ａ）
【０２１５】
【表１】
0006771952.tif 000009
【０２１６】
【表２】
0006771952.tif 000010
【０２１７】
表１の実施例５と、表２の実施例１４〜１７及び比較例４〜５を比較すると、（ｂ）／［（ａ）＋（ｂ）＋（ｃ）］の質量比が０である実施例５は洗浄力に優れることが確認できた。一方、（ｂ）／［（ａ）＋（ｂ）＋（ｃ）］の質量比が大きい実施例１４〜１７は、泡比容が大きいことが確認できた。
【０２１８】
本発明の硬質表面用液体洗浄剤組成物を接触させた場合において、表１の実施例５と表２の実施例１８、１９とを比較すると、（ａ）成分＋（ｂ）成分＋（ｃ）成分の合計含有量が５質量％である実施例５は、洗浄力と界面活性剤の原料コストのバランスにより優れることが確認できた。
【０２１９】
本発明の硬質表面用液体洗浄剤組成物を接触させた場合において、表１の実施例２〜８を比較すると、（ａ）成分／（ｃ）成分の質量比が１．５である実施例６は、洗浄力により優れることが確認できた。
【０２２０】
本発明の硬質表面用液体洗浄剤組成物を接触させた場合において、表１の実施例６、実施例９〜１３を比較すると、（ｅ）成分／［（ａ）＋（ｃ）］の質量比が１．８である実施例１０は、洗浄力により優れることが確認できた。
【０２２１】
なお、実施例５、実施例６、実施例１６、及び実施例１７を見ると、これらの実施例の溶液浸漬での洗浄率の関係と、これらの実施例の泡浸漬での洗浄率の関係とは、同じような傾向を示している。このことから、溶液浸漬での洗浄率と泡浸漬での洗浄率には相関関係があることがわかり、他の実施例においても、溶液浸漬の結果（洗浄率）から、泡浸漬での洗浄率の値を推認できることが確認できた。